(57)【要約】【課題】文字種切替キーの押下回数の削減化、引いては操作性の向上を図ることができる文字入力装置及びテープ印字装置を提供する。【解決手段】ＣＰＵ５１は、文字種切替キー１３２の１回目の押下の場合には、直前入力モード記憶領域５７Ｅに記憶される文字種類を読み出し、この文字種類を入力モードとする（Ｓ４１：ＹＥＳ、Ｓ４２）。また、文字種切替キー１３２の２回目の押下の場合には、「初期切り替え順番」の直前入力モード記憶領域５７Ｅに記憶される文字種類以外の文字種類で第１順位の文字種類を入力モードとする（Ｓ４３：ＹＥＳ、Ｓ４４）。更に、文字種切替キー１３２の３回目の押下の場合には、「初期切り替え順番」の直前入力モード記憶領域５７Ｅに記憶される文字種類以外の文字種類で第２順位の文字種類を入力モードとすると共に、カウンタ５７Ｃを初期化する（Ｓ４５）。【選択図】  図１０
2004299181.tif 000002
【特許請求の範囲】
【請求項１】
装置本体表面部に配置される文字データ入力手段を備え、
前記文字データ入力手段は、文字種切替キーが押下される毎に入力する文字種類を所定の順番で順次切り替えて文字種類を指定する文字種類切替手段と、前記文字種類切替手段により指定された文字種類の文字を入力する複数の文字入力キーと、を有する文字入力装置において、
前記文字種類切替手段により最後に指定された文字種類の直前に指定されていた文字種類である第１文字種を記憶する第１文字種記憶手段を備え、
前記文字種類切替手段は、前記第１文字種記憶手段に文字種類が記憶されている場合には、前記第１文字種を第１順位として文字種類を順次切り替えることを特徴とする文字入力装置。
【請求項２】
前記文字種類切替手段は、前記第１文字種記憶手段に文字種類が記憶されている場合には、第２番目以降の文字種類の切り替え順番は、該第１文字種記憶手段に記憶されている文字種類以外の文字種類を、起動時に記憶していた前記所定の順番に従って第２番目以降に順次切り替えるようにすることを特徴とする請求項１に記載の文字入力装置。
【請求項３】
前記文字種類切替手段は、前記第１文字種記憶手段に文字種類が記憶されている場合には、第２番目以降の文字種類の切り替え順番は、起動時に記憶していた前記所定の順番に従って第２番目以降に順次切り替えるようにすることを特徴とする請求項１に記載の文字入力装置。
【請求項４】
前記文字種類切替手段は、第２番目以降の文字種類の切り替え順番は、起動時に記憶していた前記所定の順番に従って繰返し順次切り替えるようにすることを特徴とする請求項３に記載の文字入力装置。
【請求項５】
装置本体表面部に配置される文字データ入力手段を備え、
前記文字データ入力手段は、文字種切替キーを押下する毎に入力する文字種類を所定の順番で順次切り替えて文字種類を指定する文字種類切替手段と、前記文字種類切替手段により指示された文字種類の文字を入力する複数の文字入力キーと、を有する文字入力装置において、
前記文字種類切替手段により最後に指定された文字種類の直前に指定されていた文字種類である第１文字種を記憶する第１文字種記憶手段と、
前記文字種類切替手段により最後に指定された文字種類である第２文字種を記憶する第２文字種記憶手段と、を備え、
前記文字種類切替手段は、前記第１文字種記憶手段と前記第２文字種記憶手段とにそれぞれ文字種類が記憶されている場合には、前記第１文字種を第１順位として、前記第２文字種を第２順位として文字種類を順次切り替えることを特徴とする文字入力装置。
【請求項６】
前記文字種類切替手段は、前記第１文字種記憶手段と前記第２文字種記憶手段とにそれぞれ文字種類が記憶されている場合には、第３番目以降の文字種類の切り替え順番は、該第１文字種記憶手段と第２文字種記憶手段とに記憶されている文字種類以外の文字種類を、起動時に記憶していた前記所定の順番に従って第３番目以降に順次切り替えるようにすることを特徴とする請求項５に記載の文字入力装置。
【請求項７】
前記文字種類切替手段は、前記第１文字種記憶手段と前記第２文字種記憶手段とにそれぞれ文字種類が記憶されている場合には、第３番目以降の文字種類の切り替え順番は、起動時に記憶していた前記所定の順番に従って第３番目以降に順次切り替えるようにすることを特徴とする請求項５に記載の文字入力装置。
【請求項８】
前記文字種類切替手段は、第３番目以降の文字種類の切り替え順番は、起動時に記憶していた前記所定の順番に従って繰返し順次切り替えるようにすることを特徴とする請求項７に記載の文字入力装置。
【請求項９】
前記各文字入力キーは、複数個の文字が該文字入力キーを押す毎に順次入力可能になるように構成されていることを特徴とする請求項１乃至請求項８のいずれかに記載の文字入力装置。
【請求項１０】
装置本体表面部に配置される表示手段を備え、
前記表示手段は、前記文字入力キーで入力する文字種類を表示することを特徴とする請求項１乃至請求項９のいずれかに記載の文字入力装置。
【請求項１１】
装置本体に収納されるテープカセットと、装置本体表面部に配置される文字入力装置と、前記文字入力装置によって入力された文字を前記テープカセットに収納される長尺状のテープに印字する印字手段と、を備えたテープ印字装置において、
前記文字入力装置は、請求項１乃至請求項１０のいずれかに記載された文字入力装置であることを特徴とするテープ印字装置。
【発明の詳細な説明】
【０００１】
【発明の属する技術分野】
本発明は、入力する文字の種類を押下する毎にアルファベット大文字、アルファベット小文字、数字などに順次切り替える文字種切替キーを備えた文字入力装置及びテープ印字装置に関するものである。
【０００２】
【従来の技術】
従来から、入力する文字の種類を押下する毎にアルファベット大文字、アルファベット小文字、数字などに順次切り替える文字種切替キーを備えた文字入力装置などが種々提案されている。
例えば、文字入力装置の本体表面の左手親指操作領域には、キー群として、ファンクションキー（Ｆ１〜Ｆ５）、数字キー（１〜５）、文字キー（Ｑ〜Ｂ）、制御キー（Ｅｓｃ、ＴＡＢ、半角／全角、Ｃｔｒｌ、Ａｌｔ、無変換）が配置されている。また、本体表面の右手親指操作領域には、キー群として、ファンクションキー（Ｆ６〜Ｆ７）、数字キー（６〜０）、文字キー（Ｙ〜Ｍ）、制御キー（ＤＥＬ、Ｅｎｔｅｒ、ＢＳ、次候補、スペース）、記号キー（，．／；‐＾￥）、カーソル移動キー（←↓→↑）が配置されている。また、本体裏面の右手人差し指操作領域には、右手人差し指で操作するシフトキーが配置されており、操作者は右手で操作するように構成されている。また、本体裏面の右手中指・薬指操作領域には、右手中指または薬指で操作する座標入力装置が配置されており、操作者は右手で操作するように構成されている。また、本体裏面の左手人差し指操作領域には、左手人差し指で操作する入力モード切り替えキー（文字種切替キー）が配置されており、操作者は左手で操作するように構成されている。入力モード切り替えキー（文字種切替キー）は、入力モード（カタカナ／ひらがな／ローマ字等）の切り替えを行えるように構成されている（例えば、特許文献１参照）。
これにより、文字入力装置の本体表面のキー群を入力する場合は左手親指または右手親指で押下する。他方、本体裏面のシフトキーを入力する場合は右手人差し指で押下し、座標入力装置から座標入力する場合は右手中指または薬指で押下し、入力モード切り替えキー（文字種切替キー）を入力する場合は左手人差し指で押下する。従って、両手で装置本体を持ちながら左手人差し指で入力モード切り替えキー（文字種切替キー）を入力する構成とすることにより、疲れ難くいつでもどこでも容易に入力操作が可能となる効果がある。
【０００３】
【特許文献１】
特開２０００−２６７７８７号公報（段落（００２７）〜（００３５）、図１〜図６）
【０００４】
【発明が解決しようとする課題】
しかしながら、上述した従来の文字入力装置においては、入力モード切り替えキー（文字種切替キー）を押下した場合には、「カタカナ」→「ひらがな」→「ローマ字」等の予め設定された順番でしか切り替えられないため、「ローマ字」の入力モードから「ひらがな」の入力モードに切り替える場合には、この入力モード切り替えキー（文字種切替キー）を「２回」押下して「カタカナ」→「ひらがな」とし、その後、再度「ローマ字」の入力モードに切り替える場合には、この入力モード切り替えキー（文字種切替キー）を「３回」押下して「カタカナ」→「ひらがな」→「ローマ字」とする必要があり、入力モード切り替えキー（文字種切替キー）の押下が煩雑になり操作性が低下するという問題がある。また、「ひらがな」と「ローマ字」の入力モードを交互に使用する場合には、特に入力モード切り替えキー（文字種切替キー）の押下が煩雑となる。また、この問題は、入力モードの種類が増加するに従ってより顕著になってくる。
【０００５】
そこで、本発明は、上述した問題点を解決するためになされたものであり、文字種切替キーが押下された場合には、少なくとも直前に指定されていた文字種類に切り替えることにより、文字種切替キーの押下回数の削減化、引いては操作性の向上を図ることができる文字入力装置及びテープ印字装置を提供することを目的とする。
【０００６】
【課題を解決するための手段】
前記目的を達成するため請求項１に係る文字入力装置は、装置本体表面部に配置される文字データ入力手段を備え、前記文字データ入力手段は、文字種切替キーが押下される毎に入力する文字種類を所定の順番で順次切り替えて文字種類を指定する文字種類切替手段と、前記文字種類切替手段により指定された文字種類の文字を入力する複数の文字入力キーと、を有する文字入力装置において、前記文字種類切替手段により最後に指定された文字種類の直前に指定されていた文字種類である第１文字種を記憶する第１文字種記憶手段を備え、前記文字種類切替手段は、前記第１文字種記憶手段に文字種類が記憶されている場合には、前記第１文字種を第１順位として文字種類を順次切り替えることを特徴とする。
【０００７】
このような特徴を有する請求項１に係る文字入力装置によれば、文字種切替キーを押下する際に、第１文字種記憶手段に最後に指定された文字種類の直前に指定されていた文字種類である第１文字種が記憶されている場合には、文字種切替キーを押下する毎に、入力する文字種類をこの第１文字種を第１順位として所定の順番で順次切り替えて指定することができる。従って、主として２種類の文字種類の文字を交互に入力する場合には、文字種切替キーを１回押下することによって直前に使用していた文字種類を指定することができるため、文字種切替キーによって切り替え可能な文字種類を予め多く登録しておいても、文字種切替キーの押下回数を確実に削減でき、引いては文字入力装置の操作性の向上を図ることができる。
【０００８】
また、請求項２に係る文字入力装置は、請求項１に記載の文字入力装置において、前記文字種類切替手段は、前記第１文字種記憶手段に文字種類が記憶されている場合には、第２番目以降の文字種類の切り替え順番は、該第１文字種記憶手段に記憶されている文字種類以外の文字種類を、起動時に記憶していた前記所定の順番に従って第２番目以降に順次切り替えるようにすることを特徴とする。
【０００９】
このような特徴を有する請求項２に係る文字入力装置によれば、第１文字種記憶手段に文字種類が記憶されている場合には、文字種切替キーを押下する毎に、入力する文字種類を第１文字種を第１順位とし、第２番目以降の文字種類の切り替え順番は、該第１文字種以外の文字種類を、起動時に記憶されている所定の順番に従って第２番目以降に順次切り替えて指定することができる。従って、文字種類切替手段は、第１文字種以外の文字種類を指定するために文字種切替キーが複数回押下された場合には、この第１文字種以外の文字種類を起動時に記憶されている所定の順番に従って順次切り替えればよく、文字種類を切り替える制御プログラム容量の増加を防止し、且つ、文字入力装置の操作性の向上を図ることができる。また、第２番目以降には、第１文字種以外の文字種類を所定の順番に従って順次切り替えることができ、同一文字種類の重複指定を防止することができる。
【００１０】
また、請求項３に係る文字入力装置は、請求項１に記載の文字入力装置において、前記文字種類切替手段は、前記第１文字種記憶手段に文字種類が記憶されている場合には、第２番目以降の文字種類の切り替え順番は、起動時に記憶していた前記所定の順番に従って第２番目以降に順次切り替えるようにすることを特徴とする。
【００１１】
このような特徴を有する請求項３に係る文字入力装置によれば、第１文字種記憶手段に文字種類が記憶されている場合には、文字種切替キーを押下する毎に、入力する文字種類を第１文字種を第１順位とし、第２番目以降の文字種類の切り替え順番は、各文字種類を起動時に記憶されている所定の順番に従って第２番目以降に順次切り替えて指定することができる。従って、文字種類切替手段は、第１文字種以外の文字種類を指定するために文字種切替キーが複数回押下された場合には、起動時に記憶されている所定の順番に従って文字種類を切り替えればよく、文字種類を切り替える制御プログラム容量の増加を防止し、且つ、文字入力装置の操作性の向上を図ることができる。また、第２番目以降には、各文字種類を所定の順番に従って順次切り替えることができるため、誤って第１番目に第１文字種の指定をミスしても、文字種類の切り替え途中で該第１文字種を指定することが可能となり、文字種切替キーの押下回数の増加を防止でき、操作性の向上を図ることができる。
【００１２】
また、請求項４に係る文字入力装置は、請求項３に記載の文字入力装置において、前記文字種類切替手段は、第２番目以降の文字種類の切り替え順番は、起動時に記憶していた前記所定の順番に従って繰返し順次切り替えるようにすることを特徴とする。
【００１３】
このような特徴を有する請求項４に係る文字入力装置によれば、第１文字種記憶手段に文字種類が記憶されている場合には、文字種切替キーを押下する毎に、第２番目以降の文字種類の切り替え順番は、起動時に記憶していた所定の順番に従って繰返し順次切り替えられるため、第２番目以降の文字種類の切り替えは、従来と同様の切り替え順番となり、文字種類を切り替える制御プログラム容量の増加を防止するとともに、文字入力装置の操作性の向上を図ることができる。
【００１４】
また、請求項５に係る文字入力装置は、装置本体表面部に配置される文字データ入力手段を備え、前記文字データ入力手段は、文字種切替キーを押下する毎に入力する文字種類を所定の順番で順次切り替えて文字種類を指定する文字種類切替手段と、前記文字種類切替手段により指示された文字種類の文字を入力する複数の文字入力キーと、を有する文字入力装置において、前記文字種類切替手段により最後に指定された文字種類の直前に指定されていた文字種類である第１文字種を記憶する第１文字種記憶手段と、前記文字種類切替手段により最後に指定された文字種類である第２文字種を記憶する第２文字種記憶手段と、を備え、前記文字種類切替手段は、前記第１文字種記憶手段と前記第２文字種記憶手段とにそれぞれ文字種類が記憶されている場合には、前記第１文字種を第１順位として、前記第２文字種を第２順位として文字種類を順次切り替えることを特徴とする。
【００１５】
このような特徴を有する請求項５に係る文字入力装置によれば、文字種切替キーを押下する際に、第１文字種記憶手段に最後に指定された文字種類の直前に指定されていた文字種類である第１文字種が記憶され、第２文字種記憶手段に最後に指定された文字種類である第２文字種が記憶されている場合には、文字種切替キーを押下する毎に、入力する文字種類をこの第１文字種を第１順位とし、第２文字種を第２順位として所定の順番で順次切り替えて指定することができる。従って、主として２種類の文字種類の文字を繰り返し入力する場合には、文字種切替キーを１回または２回押下することによって、使用する文字種類を確実に指定することができるため、文字種切替キーによって切り替え可能な文字種類を予め多く登録しておいても、文字種切替キーの押下回数を確実に削減でき、引いては文字入力装置の操作性の向上を図ることができる。
【００１６】
また、請求項６に係る文字入力装置は、請求項５に記載の文字入力装置において、前記文字種類切替手段は、前記第１文字種記憶手段と前記第２文字種記憶手段とにそれぞれ文字種類が記憶されている場合には、第３番目以降の文字種類の切り替え順番は、該第１文字種記憶手段と第２文字種記憶手段とに記憶されている文字種類以外の文字種類を、起動時に記憶していた前記所定の順番に従って第３番目以降に順次切り替えるようにすることを特徴とする。
【００１７】
このような特徴を有する請求項６に係る文字入力装置によれば、文字種切替キーを押下する毎に、入力する文字種類を第１文字種を第１順位とし、第２文字種を第２順位とし、第３番目以降の文字種類の切り替え順番は、該第１文字種及び第２文字種以外の文字種類を、起動時に記憶されている所定の順番に従って第３番目以降に順次切り替えて指定することができる。従って、文字種類切替手段は、第１文字種及び第２文字種以外の文字種類を指定するために文字種切替キーが複数回押下された場合には、起動時に記憶されている所定の順番に従って各文字種類を順次切り替えればよく、文字種類を切り替える制御プログラム容量の増加を防止し、且つ、文字入力装置の操作性の向上を図ることができる。また、第３番目以降には、第１文字種及び第２文字種以外の文字種類を所定の順番に従って順次切り替えることができ、同一文字種類の重複指定を防止することができる。
【００１８】
また、請求項７に係る文字入力装置は、請求項５に記載の文字入力装置において、前記文字種類切替手段は、前記第１文字種記憶手段と前記第２文字種記憶手段とにそれぞれ文字種類が記憶されている場合には、第３番目以降の文字種類の切り替え順番は、起動時に記憶していた前記所定の順番に従って第３番目以降に順次切り替えるようにすることを特徴とする。
【００１９】
このような特徴を有する請求項７に係る文字入力装置によれば、文字種切替キーを押下する毎に、入力する文字種類を第１文字種を第１順位とし、第２文字種を第２順位とし、第３番目以降の文字種類の切り替え順番は、各文字種類を起動時に記憶されている所定の順番に従って第３番目以降に順次切り替えて指定することができる。従って、文字種類切替手段は、第１文字種及び第２文字種以外の文字種類を指定するために文字種切替キーが複数回押下された場合には、起動時に記憶されている所定の順番に従って文字種類を切り替えればよく、文字種類を切り替える制御プログラム容量の増加を防止し、且つ、文字入力装置の操作性の向上を図ることができる。また、第３番目以降には、各文字種類を所定の順番に従って順次切り替えることができるため、誤って第１番目の第１文字種の指定や第２番目の第２文字種の指定をミスしても、文字種類の切り替え途中で該第１文字種又は第２文字種を指定することが可能となり、文字種切替キーの押下回数の増加を防止でき、操作性の向上を図ることができる。
【００２０】
また、請求項８に係る文字入力装置は、請求項７に記載の文字入力装置において、前記文字種類切替手段は、第３番目以降の文字種類の切り替え順番は、起動時に記憶していた前記所定の順番に従って繰返し順次切り替えるようにすることを特徴とする。
【００２１】
このような特徴を有する請求項８に係る文字入力装置によれば、文字種切替キーを押下する毎に、第３番目以降の文字種類の切り替え順番は、起動時に記憶していた所定の順番に従って繰返し順次切り替えられるため、第３番目以降の文字種類の切り替えは、従来と同様の切り替え順番となり、文字種類を切り替える制御プログラム容量の増加を防止するとともに、文字入力装置の操作性の向上を図ることができる。
【００２２】
また、請求項９に係る文字入力装置は、請求項１乃至請求項８のいずれかに記載の文字入力装置において、前記各文字入力キーは、複数個の文字が該文字入力キーを押す毎に順次入力可能になるように構成されていることを特徴とする。
【００２３】
このような特徴を有する請求項９に係る文字入力装置によれば、各文字入力キーは、複数個の文字が該文字入力キーを押す毎に順次入力可能になるように構成されているため、文字入力キーの個数を減らすことができるとともに、装置本体表面部に配置される各文字入力キーを大きくすることができ、文字入力装置を片手で操作することが可能となると共に、文字入力装置の小型化を図ることができる。
【００２４】
また、請求項１０に係る文字入力装置は、請求項１乃至請求項９のいずれかに記載の文字入力装置において、装置本体表面部に配置される表示手段を備え、前記表示手段は、前記文字入力キーで入力する文字種類を表示することを特徴とする。
【００２５】
このような特徴を有する請求項１０に係る文字入力装置によれば、装置本体表面部に表示手段が配置され、該表示手段に文字入力キーで入力する文字種類が表示されるため、ユーザは、文字種切替キーの押下により順次切り替えられる文字種類を表示手段を見て確認することができ、更なる文字入力装置の操作性の向上を図ることができる。
【００２６】
更に、請求項１１に係るテープ印字装置は、装置本体に収納されるテープカセットと、装置本体表面部に配置される文字入力装置と、前記文字入力装置によって入力された文字を前記テープカセットに収納される長尺状のテープに印字する印字手段と、を備えたテープ印字装置において、前記文字入力装置は、請求項１乃至請求項１０のいずれかに記載された文字入力装置であることを特徴とする。
【００２７】
このような特徴を有する請求項１１に係るテープ印字装置によれば、装置本体表面部に配置される文字入力装置は、請求項１乃至請求項１０のいずれかに記載された文字入力装置であるため、主として２〜３種類の文字種類の文字を入力してテープに印字する場合には、文字種切替キーを１回〜２回押下することによって使用する文字種類を指定することができるため、文字種切替キーによって切り替え可能な文字種類を予め多く登録しておいても、文字種切替キーの押下回数を確実に削減でき、引いてはテープ印字装置の操作性の向上を図ることができる。
【００２８】
【発明の実施の形態】
以下、本発明に係る文字入力装置及びテープ印字装置を該文字入力装置が装置本体表面部に配置されたテープ印字装置について具体化した第１実施形態乃至第７実施形態に基づき図面を参照しつつ詳細に説明する。先ず、第１実施形態に係るテープ印字装置の概略構成について図１乃至図５に基づき説明する。
図１乃至図３に示すように、テープ印字装置１は、合成樹脂製の本体２と、この本体２の背面部全体を覆うように着脱可能に取り付けられる合成樹脂製の背面カバー３とから構成されている。また、本体２の長手方向のほぼ上半分側の部分は、水平視やや丸く形成され、この上側表面の略中央部には左右方向に横長の窓部５が穿設され、この窓部５の下側には液晶表示装置（ＬＣＤ）６が配設されている。また、本体２の液晶表示装置６の左側側面部には、カットレバー７が設けられ、このカットレバー７を親指などで内側に押すことにより印字されて上端部に形成されるテープ排出口から排出された感熱テープ９（図４参照）を後述のカッター１０（図４参照）にて切断することができる。
【００２９】
また、本体２の長手方向のほぼ下半分側の部分の左右幅寸法は、その上側部分の左右幅寸法よりも少し狭く形成されると共に、左右側面の角部も丸く形成され、把持部１１を構成している。また、背面カバー３の把持部１１に対応する部分の左右側面の角部も丸く形成されている。また、本体２に取り付けられる背面カバー３は、テープカセット２６に対向する部分から把持部１１にかけてテープ印字装置１の厚さ寸法がなだらかに小さくなるように形成され、把持部１１の厚さ寸法は、テープカセット２６が収納されている部分の厚さ寸法よりも小さくなるように形成され、操作者の手に持ちやすいように把持部１１が構成されている。
【００３０】
また、把持部１１の表面には、軟質ゴム製等で形成され、文書データからなるテキストを作成するための数字１入力キー１２１及び各文字入力キー１２２〜１３０、「＠」マークや「＆」記号等を入力する記号キー１３１、アルファベットの大文字、小文字及び数字の文字種類を押下する毎に切り替える文字種切替キー１３２、太字、斜字、文字飾り等を選択するファンクションキー１３、入力した文字を押下する毎に１文字削除するバックスペースキー１４、テキストの印字を指令する印字キー１５、文字等のキャラクタを表示する液晶表示装置６上でカーソルを左右に移動させるカーソルキー１６、電源をオン・オフする電源ボタン１７、文字選択等を指令するリターンキー１８が配置されている。
【００３１】
また、数字１入力キー１２１は、文字の種類がアルファベットの大文字又は小文字の入力時に押下された場合には、無効となる。一方、この数字１入力キー１２１は、文字の種類が数字の入力時に押下された場合には、「１」を入力できる。
【００３２】
また、各文字入力キー１２２〜１３０は、文字の種類がアルファベットの大文字又は小文字の入力時に押下された場合には、上面部に印刷されているアルファベット又はスペースを押下する毎に順次切り替えて入力できるように構成されている。一方、各文字入力キー１２２〜１３０は、文字の種類が数字の入力時に押下された場合には、上面部に印刷されている数字を押下することによって入力できるように構成されている。
例えば、文字入力キー１２２の上面部に「ａ、ｂ、ｃ、２」の文字が印刷されている場合には、文字の種類がアルファベットの大文字の場合には、この文字入力キー１２２を押下する毎に液晶表示装置６上のカーソル位置に「Ａ」、「Ｂ」、「Ｃ」の文字が順次表示され、リターンキー１８又は他のキー１２３〜１３２を押下することによって入力文字が確定される。また、文字の種類がアルファベットの小文字の場合には、この文字入力キー１２２を押下する毎に液晶表示装置６上のカーソル位置に「ａ」、「ｂ」、「ｃ」の文字が順次表示され、リターンキー１８又は他のキー１２３〜１３２を押下することによって入力文字が確定される。また、文字の種類が数字の場合には、この文字入力キー１２２を押下すると液晶表示装置６上のカーソル位置に「２」の文字が表示され、入力文字が確定される。
【００３３】
また、図３及び図４に示すように、本体２の把持部１１の裏面部には、数字１入力キー１２１、各文字入力キー１２２〜１３０、記号入力キー１３１、文字種切替キー１３２、ファンクションキー１３、バックスペースキー１４、印字キー１５、カーソルキー１６、電源ボタン１７、リターンキー１８が上面部に配置される基板２０が設けられている。また、本体２の把持部１１と液晶表示装置６との間の裏面部には、後述の制御回路部５０（図５参照）が構成される制御基板２１が配設されている。そして、この制御基板２１のサーマルヘッド３３に対して反対側で本体２の長手方向上側には、不図示のギヤー列を介してプラテンローラ２３を回転駆動するテープ送りモータ２５が本体２の裏面部に配設されている。また、本体２の各基板２０、２１、液晶表示装置６、及びテープ送りモータ２５等の背面側の開口部には、テープカセット２６が収納されるカセット収納部２７や複数個（第１実施形態では４本）の乾電池２８が２本ずつ直列に収納される電池収納部２９が背面部に形成される合成樹脂製の仕切り部材３０が各ネジ３１によってネジ止めされている。
【００３４】
また、カセット収納部２７のカットレバー７側の端縁部近傍の底面部には、サーマルヘッド３３が取り付けられる薄板状のサーマルヘッド取付部３４が、本体２の長手方向に沿うように直角外側方向に立設されている。また、サーマルヘッド３３に対向するカセット収納部２７の側面部は切り欠かれると共に、この切欠部に対向する仕切り部材３０の裏面部にプラテンホルダ３５が下端部を中心に回動可能に設けられている。また、背面カバー３を取り外した状態では、プラテンホルダ３５は図示しない弾性部材等で外側方向に付勢され、この仕切り部材３０に穿設される略四角形の係合孔３６の外側端縁部から裏側方向に立設される位置固定部３７に当接する位置で固定されている。
【００３５】
そして、背面カバー３の内側面には、不図示の突起部が立設されており、この背面カバー３を本体２の背面部に取り付けた場合には、この突起部が係合孔３６に挿入され、プラテンホルダ３５と位置固定部３７との間に介在する状態になる。これにより、プラテンローラ２３によりテープカセット２６の感熱テープ９の一部がサーマルヘッド３３に押し付けられる位置まで、プラテンホルダ３５はサーマルヘッド３３側に回動させられて固定される。また、プラテンローラ２３の裏側方向の一端部には不図示のギヤ部が形成され、プラテンホルダ３５が動作位置に固定された場合には、テープ送りモータ２５によって回転駆動される不図示のギヤ列にプラテンローラ２３のギヤ部が歯合してプラテンローラ２３が回転駆動され、サーマルヘッド３３を介して印字された感熱テープ９が搬送される。
尚、テープカセット２６に収納される感熱テープ９は、サーマルヘッド３３の発熱作用により発色するように構成されている。また、感熱テープ９は、裏面に予め粘着剤が塗布され、この粘着剤層に離型テープを仮接着したものであってもよい。
【００３６】
また、外側方向に回動するように不図示のバネで付勢されるカットレバー７の不図示の回動支持部には、カッター１０がスライド可能に支持され、このカットレバー７を水平内側方向へ押下することにより、カッター１０はテープカセット２６に向かって移動し、感熱テープ９を切断するように構成されている。
【００３７】
次に、図５に示すように、テープ印字装置１の制御構成は、制御基板２１上に形成される制御回路部５０を核として構成されている。制御回路部５０には、各機器を制御するＣＰＵ５１と、このＣＰＵ５１にデータバス５２を介して接続された入出力インタフェース５３、ＣＧＲＯＭ５４、ＲＯＭ５５、５６、ＲＡＭ５７とから構成されている。なお、ＣＰＵ５１の内部にはタイマ５１Ａが設けられている。
【００３８】
ここに、ＣＧＲＯＭ５４には、多数のキャラクタの各々に関して、表示のためのドットパターンデータがコードデータに対応させて格納されている。
また、ＲＯＭ（ドットパターンデータメモリ）５５には、アルファベット文字や記号等のキャラクタを印字するための多数のキャラクタの各々に関して、印字用ドットパターンデータが、書体（ゴシック系書体、アリエール書体等）毎に分類され、各書体毎に５種類（１６、２４、３２、４８、６４のドットサイズ）の印字文字サイズ分、コードデータに対応させて格納されている。また、文字の修飾（太字、白抜き、斜体、影付き）を含む修飾文字を印字するためのグラフィックパターンデータも記憶されている。
【００３９】
また、ＲＯＭ５６には、文字種切替キー１３２が起動後最初に押下された場合に、文字種類を切り替える初期切り替え順番（第１実施形態では、「アルファベット小文字」→「アルファベット大文字」→「数字」の順番になっている。）を記憶する初期切替順記憶領域５６Ａが設けられている。また、ＲＯＭ５６には、各文字入力キー１２２〜１３０等から入力された文字や数字等のキャラクタのコードデータに対応させて液晶表示装置（ＬＣＤ）６を制御する表示駆動制御プログラム、印字バッファ５７Ｂのデータを読み出してサーマルヘッド３３やテープ送りモータ２５を駆動する印字駆動制御プログラム、各印字ドットの形成エネルギ量に対応するパルス数を決定するパルス数決定プログラム、及び後述の入力モード記憶処理および入力モード切り替え処理の制御プログラム（図７〜図１０参照）、印字終了した場合に該感熱テープ９を切断位置までテープ送りモータ２５を駆動して搬送する駆動制御プログラム、その他テープ印字装置１の制御上必要な各種のプログラムが格納されている。そして、ＣＰＵ５１は、かかるＲＯＭ５６に記憶されている各種プログラムやデータに基づいて各種の演算を行うものである。
【００４０】
さらに、ＲＡＭ５７には、テキストメモリ５７Ａ、印字バッファ５７Ｂ、カウンタ５７Ｃ、入力モード記憶領域５７Ｄ、直前入力モード記憶領域５７Ｅ等が設けられており、テキストメモリ５７Ａには、数字１入力キー１２１、各文字入力キー１２２〜１３０及び記号入力キー１３１から入力された文書データが格納される。また、印字バッファ５７Ｂには、複数の文字や記号等の印字用ドットパターンや各ドットの形成エネルギ量である印加パルス数等がドットパターンデータとして格納され、サーマルヘッド３３はかかる印字バッファ５７Ｂに記憶されているドットパターンデータに従ってドット印字を行う。また、カウンタ５７Ｃには、文字種切替キー１３２が押下された回数のカウント値が格納される。また、入力モード記憶領域５７Ｄには、現在入力している文字の指定された文字種類が記憶される。また、直前入力モード記憶領域５７Ｅには、現在入力している文字の文字種類の直前に指定されていた文字種類が記憶される。尚、ＲＡＭ５７は、起動時には初期化される。
【００４１】
また、入出力インタフェース５３には、基板２０と、液晶表示装置（ＬＣＤ）６に表示データを出力するためのビデオＲＡＭ５８Ａを有するディスプレイコントローラ（以下、ＬＣＤＣという）５８と、サーマルヘッド３３を駆動するための駆動回路５９と、テープ送りモータ２５を駆動するための駆動回路６０と、が各々接続されている。
よって、基板２０の数字１入力キー１２１、各文字入力キー１２２〜１３０、記号入力キー１３１を介して文字等が入力された場合、そのテキスト（文書データ）がテキストメモリ５７Ａに順次記憶されていくとともに、ドットパターン発生制御プログラム及び表示駆動制御プログラムに基づいて基板２０を介して入力された文字等に対応するドットパターンがＬＣＤ６上に表示される。また、サーマルヘッド３３は駆動回路５９を介して駆動され、印字バッファ５７Ｂに記憶されたドットパターンデータの印字を行い、これと同期してテープ送りモータ２５が駆動回路６０を介してテープの送り制御を行うものである。
【００４２】
次に、このように構成されたテープ印字装置１の文字入力の制御処理について図６乃至図１６に基づいて説明する。
図６に示すように、ステップ（以下、Ｓと略記する）１において、テープ印字装置１のＣＰＵ５１は、初期化処理を行う。即ち、テキストメモリ５７Ａ、印字バッファ５７Ｂ、カウンタ５７Ｃ、入力モード記憶領域５７Ｄ、直前入力モード記憶領域５７Ｅなどの初期化を行う。
そして、Ｓ２において、ＣＰＵ５１は、装置本体表面部に配置された各キー１２１〜１３２、１３〜１８のいずれかが押下されるまで待機する（Ｓ２：ＮＯ）。
続いて、いずれかのキーが押下された場合には（Ｓ２：ＹＥＳ）、Ｓ３において、ＣＰＵ５１は、押下されたキーが数字１入力キー１２１、各文字入力キー１２２〜１３０のいずれかであるか否かを判定する判定処理を実行する。尚、テープ印字装置１の起動時には、キー入力によって入力できる文字種類は「アルファベット小文字」に設定されている。
そして、押下されたキーが数字１入力キー１２１、各文字入力キー１２２〜１３０のいずれかである場合には（Ｓ３：ＹＥＳ）、Ｓ４において、ＣＰＵ５１は、後述の入力モード記憶処理のサブ処理（図７参照）を実行後、Ｓ５において、数字１入力キー１２１、各文字入力キー１２２〜１３０によって入力された文字を液晶表示装置６に表示し、再度、Ｓ２以降の処理を実行する。
【００４３】
ここで、入力モード記憶処理のサブ処理について図７に基づいて説明する。
図７に示すように、Ｓ１５において、ＣＰＵ５１は、入力された文字をテキストメモリ５７Ａに入力文字として記憶する。
続いて、Ｓ１６において、ＣＰＵ５１は、リターンキー１８又はその他のキーが押下されて入力文字を確定したか否かを判定する判定処理を実行する。そして、この入力文字が確定されていないと判定した場合は（Ｓ１６：ＮＯ）、ＣＰＵ５１は、本処理を終了してメインフローチャートの処理に戻る。
一方、この入力文字が確定されたと判定した場合は（Ｓ１６：ＹＥＳ）、Ｓ１７において、ＣＰＵ５１は、この入力文字の文字種類（第１実施形態では、文字種類は、アルファベット小文字、アルファベット大文字、数字の３種類である。）を入力モード記憶領域５７Ｄに記憶し、メインフローチャートの処理に戻る。
【００４４】
ここで、起動時に設定されたアルファベット小文字が入力された場合の液晶表示装置６の表示画面の一例を図１１に基づいて説明する。
図１１に示すように、起動時の入力文字の種類は、アルファベット小文字に設定されているため、表示画面の左端部に示される各文字種マークＭ１、Ｍ２はともに白丸の表示である。そして、文字入力キー１２２とリターンキー１８を続けて押下することにより、「ａ］、「ｂ」、「ｃ」が表示画面に順次表示され、カーソルＫ１が右方向に１文字分ずつ移動表示される。また、各文字「ａ］、「ｂ」、「ｃ」が表示画面に順次表示される毎に、入力文字の文字種類として「アルファベット小文字」が入力モード記憶領域５７Ｄに記憶される。
【００４５】
一方、Ｓ３において、押下されたキーが各文字入力キー１２２〜１３０のいずれでもない場合には（Ｓ３：ＮＯ）、Ｓ６において、ＣＰＵ５１は、文字種切替キー１３２が押下されたか否かを判定する判定処理を実行する。そして、文字種切替キー１３２が押下されている場合には（Ｓ６：ＹＥＳ）、Ｓ７において、ＣＰＵ５１は、後述の入力モード切替処理のサブ処理（図８参照）を実行後、Ｓ８において、文字種切替キー１３２の押下によって指定された入力文字の文字種類を各文字種マークＭ１、Ｍ２により表示する（図１２、図１４、図１６参照）。そして、再度、Ｓ２以降の処理を実行する。
【００４６】
他方、文字種切替キー１３２が押下されていない場合には（Ｓ６：ＮＯ）、Ｓ９において、ＣＰＵ５１は、押下されたキーに対応する各種処理を実行後、再度、Ｓ２以降の処理を実行する。
【００４７】
次に、Ｓ７において実行する入力モード切替処理のサブ処理について図８に基づいて説明する。
図８に示すように、Ｓ２１において、ＣＰＵ５１は、文字種切替キー１３２の押下により指定された入力モードが直前の入力モードと同一か否かを判定する判定処理を実行する。そして、文字種切替キー１３２の押下により指定された入力モードが直前の入力モードと異なると判定した場合には（Ｓ２１：ＮＯ）、Ｓ２２において、ＣＰＵ５１は、入力モード記憶領域５７Ｄに記憶している文字種類を読み出し、この文字種類を「切替前の入力モード」として直前入力モード記憶領域５７Ｅに記憶する。続いて、Ｓ２３において、ＣＰＵ５１は、文字種切替キー１３２の押下によって指定された文字種類を「切替後の入力モード」として入力モード記憶領域５７Ｄに記憶する。
【００４８】
そしてまた、Ｓ２４において、ＣＰＵ５１は、初期入力モード状態か否か、即ち、入力モード記憶領域５７Ｄに文字種類が記憶されているか否かを判定する判定処理を実行する。そして、初期入力モード状態の場合、即ち、入力モード記憶領域５７Ｄに文字種類が記憶されていない場合には（Ｓ２４：ＹＥＳ）、Ｓ２５において、後述の初期シフト切替処理のサブ処理（図９参照）を実行後、メインフローチャートに戻る。一方、初期入力モード状態でない場合、即ち、入力モード記憶領域５７Ｄに文字種類が記憶されている場合には（Ｓ２４：ＮＯ）、Ｓ２６において、後述のシフト切替処理のサブ処理（図１０参照）を実行後、メインフローチャートに戻る。
他方、文字種切替キー１３２の押下により指定された入力モードが直前の入力モードと同一入力モードであると判定した場合には（Ｓ２１：ＹＥＳ）、ＣＰＵ５１は、Ｓ２４以降の処理を実行後、メインフローチャートに戻る。
【００４９】
次に、入力モード切替処理のサブ処理で実行される初期シフト切替処理のサブ処理について図９に基づいて説明する。
図９に示すように、Ｓ３１において、ＣＰＵ５１は、文字種切替キー１３２の１回目の押下か否かを判定する判定処理を実行する。そして、文字種切替キー１３２の１回目の押下であると判定した場合には（Ｓ３１：ＹＥＳ）、Ｓ３２において、入力モード記憶領域５７Ｄに記憶する入力モードをＲＡＭ５７に一時記憶後、初期切替順記憶領域５６Ａに記憶される文字種類の「初期切り替え順番」を読み出し、この最初の順番の文字種類を入力モードとして入力モード記憶領域５７Ｄに記憶する。即ち、入力モードとして、「アルファベット小文字」が入力モード記憶領域５７Ｄに記憶される。また、起動時の入力モードの文字種類と同一の入力モードの文字種類であるため、直前入力モード記憶領域５７Ｅには、文字種類は記憶されない。即ち、起動時の状態のままである。
尚、「初期切り替え順番」は、１番目をアルファベット小文字、２番目をアルファベット大文字、３番目を数字として初期切替順記憶領域５６Ａに記憶されている。
【００５０】
また、文字種切替キー１３２の１回目の押下でないと判定した場合には（Ｓ３１：ＮＯ）、Ｓ３３において、ＣＰＵ５１は、文字種切替キー１３２の２回目の押下か否かを判定する判定処理を実行する。そして、文字種切替キー１３２の２回目の押下であると判定した場合には（Ｓ３３：ＹＥＳ）、Ｓ３４において、入力モード記憶領域５７Ｄに記憶する入力モードをＲＡＭ５７に一時記憶後、初期切替順記憶領域５６Ａに記憶される文字種類の「初期切り替え順番」を読み出し、２番目の順番の文字種類を入力モードとして入力モード記憶領域５７Ｄに記憶する。即ち、入力モードとして、「アルファベット大文字」が入力モード記憶領域５７Ｄに記憶される。また、ＲＡＭ５７に一時記憶した入力モードを読み出し、直前入力モード記憶領域５７Ｅに直前の入力モードとして記憶する。
【００５１】
また、文字種切替キー１３２の２回目の押下でないと判定した場合には（Ｓ３３：ＮＯ）、Ｓ３５において、ＣＰＵ５１は、入力モード記憶領域５７Ｄに記憶する入力モードをＲＡＭ５７に一時記憶後、初期切替順記憶領域５６Ａに記憶される文字種類の「初期切り替え順番」を読み出し、３番目の順番の文字種類を入力モードとして入力モード記憶領域５７Ｄに記憶する。即ち、入力モードとして、「数字」が入力モード記憶領域５７Ｄに記憶される。また、ＲＡＭ５７に一時記憶した入力モードを読み出し、直前入力モード記憶領域５７Ｅに直前の入力モードとして記憶する。また同時に、カウンタ５７Ｃが初期化される。
そしてまた、文字種切替キー１３２が押下された場合には、これを１回目の押下として、再度Ｓ３１以降の処理が繰り返し実行される。
【００５２】
ここで、初期シフト切替処理のサブ処理の実行時の液晶表示装置６の表示画面の一例を図１２に基づいて説明する。
図１２（Ａ）に示すように、文字種切替キー１３２の１回目の押下では、「アルファベット小文字」が入力モードとして入力モード記憶領域５７Ｄに記憶されているため、表示画面の左端部に示される各文字種マークＭ１、Ｍ２はともに白丸の表示である。
また、図１２（Ｂ）に示すように、文字種切替キー１３２の２回目の押下では、「アルファベット大文字」が入力モードとして入力モード記憶領域５７Ｄに記憶されているため、表示画面の左端部に示される文字種マークＭ１は、黒丸の表示となり、文字種マークＭ２は、白丸の表示となる。これにより、窓枠５の左端外周部に印刷される「ＡＢＣ」の文字より、ユーザーは「アルファベット大文字」が入力モードであることを確認することができる。
続いて、図１２（Ｃ）に示すように、文字種切替キー１３２の３回目の押下では、「数字」が入力モードとして入力モード記憶領域５７Ｄに記憶されているため、表示画面の左端部に示される文字種マークＭ１は、白丸の表示となり、文字種マークＭ２は、黒丸の表示となる。これにより、窓枠５の左端外周部に印刷される「１２３」の文字より、ユーザーは「数字」が入力モードであることを確認することができる。
そしてまた、文字種切替キー１３２が押下された場合には、図１２（Ａ）〜図１２（Ｃ）の画面表示が繰り返し順次表示される。
【００５３】
そして、この初期シフト切替処理において「数字」が入力モードとして指定されて、文字入力キー１２２等が押下された場合の液晶表示装置６の表示画面の一例を図１３に基づいて説明する。
図１３に示すように、入力モードは、「数字」に設定されているため、表示画面の左端部に表示される文字種マークＭ１は、白丸の表示となり、文字種マークＭ２は、黒丸の表示となっている。
そして、図１３（Ａ）に示すように、数字１入力キー１２１を押下することにより「１」が表示画面に表示される。また、図１３（Ｂ）に示すように、文字入力キー１２２を押下することにより「２」が表示画面に表示される。また、図１３（Ｃ）に示すように、文字入力キー１２３を押下することにより「３」が表示画面に順次表示され、カーソルＫ１が右方向に１文字分ずつ移動表示される。また、各文字「１］、「２」、「３」が表示画面に順次表示される毎に、入力文字の文字種類として「数字」が入力モード記憶領域５７Ｄに記憶される。
【００５４】
次に、入力モード切替処理のサブ処理で実行されるシフト切替処理のサブ処理について図１０に基づいて説明する。
図１０に示すように、Ｓ４１において、ＣＰＵ５１は、文字種切替キー１３２の１回目の押下か否かを判定する判定処理を実行する。そして、文字種切替キー１３２の１回目の押下であると判定した場合には（Ｓ４１：ＹＥＳ）、ＣＰＵ５１は、Ｓ４２において、入力モード記憶領域５７Ｄに記憶する入力モードをＲＡＭ５７に一時記憶後、直前入力モード記憶領域５７Ｅに記憶される文字種類を読み出し、この文字種類を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、直前の入力モードが、再度入力モードとして指定される。
【００５５】
例えば、入力モード記憶領域５７Ｄに「数字」が記憶され、直前入力モード記憶領域５７Ｅに「アルファベット小文字」が記憶されている場合には、入力モード記憶領域５７Ｄから「数字」が読み出されて、ＲＡＭ５７に一時記憶されて、直前入力モード記憶領域５７Ｅから読み出された「アルファベット小文字」が入力モード記憶領域５７Ｄに記憶される。そして、ＲＡＭ５７から「数字」の入力モードが再度読み出されて、直前の入力モードとして直前入力モード記憶領域５７Ｅに記憶される。即ち、入力モードは、「アルファベット小文字」に変更される。
【００５６】
また、文字種切替キー１３２の１回目の押下でないと判定した場合には（Ｓ４１：ＮＯ）、Ｓ４３において、ＣＰＵ５１は、文字種切替キー１３２の２回目の押下か否かを判定する判定処理を実行する。そして、文字種切替キー１３２の２回目の押下であると判定した場合には（Ｓ４３：ＹＥＳ）、Ｓ４４において、入力モード記憶領域５７Ｄに記憶する入力モードをＲＡＭ５７に一時記憶する。そして、初期切替順記憶領域５６Ａに記憶される文字種類の「初期切り替え順番」を読み出し、直前入力モード記憶領域５７Ｅに記憶される文字種類以外の文字種類で第１順位の文字種類を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、入力モードは、初期切替順記憶領域５６Ａに記憶される文字種類の「初期切り替え順番」の直前入力モード記憶領域５７Ｅに記憶される文字種類以外の文字種類で第１順位の文字種類に変更される。
【００５７】
例えば、入力モード記憶領域５７Ｄに「数字」が記憶され、直前入力モード記憶領域５７Ｅに「アルファベット小文字」が記憶されている場合には、入力モード記憶領域５７Ｄから「数字」が読み出されて、ＲＡＭ５７に一時記憶される。また、初期切替順記憶領域５６Ａに記憶される文字種類の「初期切り替え順番」を読み出し、直前入力モード記憶領域５７Ｅに記憶される「アルファベット小文字」以外で第１順位の「アルファベット大文字」を入力モードとして入力モード記憶領域５７Ｄに記憶する。そして、ＲＡＭ５７から「数字」の入力モードが再度読み出されて、直前の入力モードとして直前入力モード記憶領域５７Ｅに記憶される。これにより、入力モードは、「アルファベット大文字」に変更される。
【００５８】
また、文字種切替キー１３２の２回目の押下でない、即ち３回目の押下と判定した場合には（Ｓ４３：ＮＯ）、Ｓ４５において、初期切替順記憶領域５６Ａに記憶される文字種類の「初期切り替え順番」を読み出し、直前入力モード記憶領域５７Ｅに記憶される文字種類以外の文字種類で第２順位の文字種類を入力モードとして入力モード記憶領域５７Ｄに記憶する。これにより、入力モードは、初期切替順記憶領域５６Ａに記憶される文字種類の「初期切り替え順番」の直前入力モード記憶領域５７Ｅに記憶される文字種類以外の文字種類で第２順位の文字種類に変更される。また同時に、カウンタ５７Ｃが初期化される。
尚、第１実施形態では、初期切替順記憶領域５６Ａに記憶される文字種類の「初期切り替え順番」の直前入力モード記憶領域５７Ｅに記憶される文字種類以外の文字種類で第２順位の文字種類は、入力モード記憶領域５７Ｄに記憶されていた文字種類と同一のため、直前入力モード記憶領域５７Ｅに記憶される文字種類の変更は行わない。
そしてまた、文字種切替キー１３２が押下された場合には、これを１回目の押下として、再度Ｓ４１以降の処理が繰り返し実行される。
【００５９】
例えば、入力モード記憶領域５７Ｄに「数字」が記憶され、直前入力モード記憶領域５７Ｅに「アルファベット小文字」が記憶されている場合には、初期切替順記憶領域５６Ａに記憶される文字種類の「初期切り替え順番」を読み出し、直前入力モード記憶領域５７Ｅに記憶される「アルファベット小文字」以外で第２順位の「数字」を入力モードとして入力モード記憶領域５７Ｄに記憶する。これにより、入力モードは、「数字」に変更される。また、直前入力モード記憶領域５７Ｅに記憶される文字種類は、「アルファベット小文字」のままである。
【００６０】
ここで、シフト切替処理のサブ処理の実行時の液晶表示装置６の表示画面の一例を図１４に基づいて説明する。尚、入力モード記憶領域５７Ｄに「数字」が記憶され、直前入力モード記憶領域５７Ｅに「アルファベット小文字」が記憶されている場合の一例である。
図１４（Ａ）に示すように、文字種切替キー１３２の１回目の押下では、「アルファベット小文字」が直前の入力モードとして直前入力モード記憶領域５７Ｅに記憶されているため、この「アルファベット小文字」が読み出されて、入力モードとして入力モード記憶領域５７Ｄに記憶されるとともに、表示画面の左端部に示される各文字種マークＭ１、Ｍ２はともに白丸の表示となる。一方、入力モード記憶領域５７Ｄに記憶されていた「数字」は、直前の入力モードとして、直前入力モード記憶領域５７Ｅに記憶される。これにより、ユーザーは「アルファベット小文字」が入力モードであることを確認することができる。
【００６１】
また、図１４（Ｂ）に示すように、文字種切替キー１３２の２回目の押下では、初期切替順記憶領域５６Ａに記憶される文字種類の「初期切り替え順番」を読み出し、直前入力モード記憶領域５７Ｅに記憶される「アルファベット小文字」以外で第１順位の「アルファベット大文字」が入力モードとして入力モード記憶領域５７Ｄに記憶されているため、表示画面の左端部に示される文字種マークＭ１は、黒丸の表示となり、文字種マークＭ２は、白丸の表示となる。一方、入力モード記憶領域５７Ｄに記憶されていた「数字」は、直前の入力モードとして、直前入力モード記憶領域５７Ｅに記憶される。これにより、窓枠５の左端外周部に印刷される「ＡＢＣ」の文字より、ユーザーは「アルファベット大文字」が入力モードであることを確認することができる。
続いて、図１４（Ｃ）に示すように、文字種切替キー１３２の３回目の押下では、初期切替順記憶領域５６Ａに記憶される文字種類の「初期切り替え順番」を読み出し、直前入力モード記憶領域５７Ｅに記憶される「アルファベット小文字」以外で第２順位の「数字」が入力モードとして入力モード記憶領域５７Ｄに記憶されているため、表示画面の左端部に示される文字種マークＭ１は、白丸の表示となり、文字種マークＭ２は、黒丸の表示となる。よって、入力モード記憶領域５７Ｄには「数字」が記憶され、直前入力モード記憶領域５７Ｅには「アルファベット小文字」が記憶されている。これにより、窓枠５の左端外周部に印刷される「１２３」の文字より、ユーザーは「数字」が入力モードであることを確認することができる。
そしてまた、文字種切替キー１３２が押下された場合には、図１４（Ａ）〜図１４（Ｃ）の画面表示が繰り返し順次表示される。
【００６２】
そして、上記（図１４に示す）ように、文字種切替キー１３２が押下されて、入力モードとして「アルファベット小文字」が指定された場合の液晶表示装置６の表示画面の一例を図１５に基づいて説明する。
図１５に示すように、入力モードは、「アルファベット小文字」に設定されているため、表示画面の左端部に表示される各文字種マークＭ１、Ｍ２は、白丸の表示となっている。
そして、図１５（Ａ）に示すように、文字入力キー１２３を押下することにより「ｄ」が表示画面に表示される。また、図１５（Ｂ）に示すように、リターンキー１８を押下し、文字入力キー１２３を押下することにより「ｅ」が表示画面に表示される。また、図１５（Ｃ）に示すように、リターンキー１８を押下し、文字入力キー１２３を押下することにより「ｆ」が表示画面に順次表示され、リターンキー１８を押下し、カーソルＫ１が右方向に１文字分ずつ移動表示される。また、各文字「ｄ］、「ｅ」、「ｆ」が表示画面に順次表示される毎に、入力文字の文字種類として「アルファベット小文字」が入力モード記憶領域５７Ｄに記憶される。
【００６３】
続いて、この「アルファベット小文字」である「ｆ」が入力された後、再度、文字種切替キー１３２が押下された場合の、液晶表示装置６の表示画面の一例を図１６に基づいて説明する。尚、入力モード記憶領域５７Ｄに「アルファベット小文字」が記憶され、直前入力モード記憶領域５７Ｅに「数字」が記憶されている場合の一例である。
図１６（Ａ）に示すように、文字種切替キー１３２の１回目の押下では、「数字」が直前の入力モードとして直前入力モード記憶領域５７Ｅに記憶されているため、この「数字」が読み出されて、入力モードとして入力モード記憶領域５７Ｄに記憶されるとともに、表示画面の左端部に示される文字種マークＭ１は白丸の表示となり、文字種マークＭ２は、黒丸の表示となる。これにより、窓枠５の左端外周部に印刷される「１２３」の文字より、ユーザーは「数字」が入力モードであることを確認することができる。
【００６４】
また、図１６（Ｂ）に示すように、文字種切替キー１３２の２回目の押下では、初期切替順記憶領域５６Ａに記憶される文字種類の「初期切り替え順番」を読み出し、直前入力モード記憶領域５７Ｅに記憶される「数字」以外で第１順位の「アルファベット小文字」が入力モードとして入力モード記憶領域５７Ｄに記憶されているため、表示画面の左端部に示される各文字種マークＭ１、Ｍ２は、白丸の表示となる。よって、入力モード記憶領域５７Ｄには「アルファベット小文字」が記憶され、直前入力モード記憶領域５７Ｅには「数字」が記憶されている。これにより、ユーザーは「アルファベット小文字」が入力モードであることを確認することができる。
続いて、図１６（Ｃ）に示すように、文字種切替キー１３２の３回目の押下では、初期切替順記憶領域５６Ａに記憶される文字種類の「初期切り替え順番」を読み出し、直前入力モード記憶領域５７Ｅに記憶される「数字」以外で第２順位の「アルファベット大文字」が入力モードとして入力モード記憶領域５７Ｄに記憶されているため、表示画面の左端部に示される文字種マークＭ１は、黒丸の表示となり、文字種マークＭ２は、白丸の表示となる。一方、入力モード記憶領域５７Ｄに記憶されていた「数字」は、直前の入力モードとして、直前入力モード記憶領域５７Ｅに記憶される。これにより、窓枠５の左端外周部に印刷される「ＡＢＣ」の文字より、ユーザーは「アルファベット大文字」が入力モードであることを確認することができる。
そしてまた、文字種切替キー１３２が押下された場合には、図１６（Ａ）〜図１６（Ｃ）の画面表示が繰り返し順次表示される。
【００６５】
ここで、数字１入力キー１２１及び各文字入力キー１２２〜１３０、「＠」マークや「＆」記号等を入力する記号キー１３１、アルファベットの大文字、小文字及び数字の文字種類を押下する毎に切り替える文字種切替キー１３２、太字、斜字、文字飾り等を選択するファンクションキー１３、入力した文字を押下する毎に１字削除するバックスペースキー１４、テキストの印字を指令する印字キー１５、文字等のキャラクタを表示する液晶表示装置６上でカーソルを左右に移動させるカーソルキー１６、電源をオン・オフする電源ボタン１７、文字選択や文字確定等を指令するリターンキー１８は、文字データ入力手段を構成する。また、この文字データ入力手段と制御回路部５０は、文字入力装置を構成する。また、ＣＰＵ５１、ＲＯＭ５６、初期切替順記憶領域５６Ａ、ＲＡＭ５７、入力モード記憶領域５７Ｄ、直前入力モード記憶領域５７Ｅは、文字種類切替手段を構成する。また、直前入力モード記憶領域５７Ｅは、第１文字種記憶手段として機能する。また、入力モード記憶領域５７Ｄは、第２文字種記憶手段として機能する。また、液晶表示装置６、ＬＣＤＣ５８、ビデオＲＡＭ５８Ａは、表示手段を構成する。また、テープ送りモータ２５、サーマルヘッド３３、各駆動回路５９、６０、プラテンホルダ３５及びプラテンローラ２３は、印字手段を構成する。
【００６６】
上記説明した通り、第１実施形態に係るテープ印字装置１では、文字種切替キー１３２を押下する際に、直前入力モード記憶領域５７Ｅに最後に指定された文字種類の直前に指定されていた文字種類が記憶されている場合には、文字種切替キー１３２を押下する毎に、入力する文字種類をこの直前入力モード記憶領域５７Ｅに記憶される文字種類を第１順位とし、第２番目以降の文字種類の切り替え順番は、該直前入力モード記憶領域５７Ｅに記憶される文字種類以外の文字種類を、起動時に記憶されている所定の順番に従って第２番目以降に順次切り替えて指定することができる。
従って、主として２種類の文字種類の文字を交互に入力する場合には、文字種切替キー１３２を１回押下することによって直前に使用していた文字種類を指定することができるため、文字種切替キー１３２によって切り替え可能な文字種類を予め多く登録しておいても、文字種切替キー１３２の押下回数を確実に削減でき、引いてはテープ印字装置１の操作性の向上を図ることができる。
また、ＣＰＵ５１は、直前に指定されていた入力モードの文字種類以外の文字種類を指定するために文字種切替キー１３２が複数回押下された場合には、直前入力モード記憶領域５７Ｅに記憶される文字種類以外の文字種類を起動時に記憶されている所定の順番に従って順次切り替えればよく、文字種類を切り替える制御プログラム容量の増加を防止し、且つ、テープ印字装置１の操作性の向上を図ることができる。また、第２番目以降には、直前入力モード記憶領域５７Ｅに記憶される文字種類以外の文字種類を所定の順番に従って順次切り替えることができ、同一文字種類の重複指定を防止することができる。
【００６７】
次に、第２実施形態に係るテープ印字装置について図１７及び図１８に基づいて説明する。尚、上記第１実施形態に係るテープ印字装置１と同一符号は、上記第１実施形態に係るテープ印字装置１と同一あるいは相当部分を示すものである。
この第２実施形態に係るテープ印字装置の全体構成及び制御系の構成は、第１実施形態に係るテープ印字装置１とほぼ同じ構成である。また、第２実施形態に係るテープ印字装置の制御処理は、第１実施形態に係るテープ印字装置１の制御処理とほぼ同じ制御処理である。
ただし、初期切替順記憶領域５６Ａには、文字種切替キー１３２が起動後最初に押下された場合に、文字種類を切り替える初期切り替え順番として、第１順位に「アルファベット小文字」、第２順位に「アルファベット大文字」、第３順位に「数字」、第４順位に「漢字」が記憶されている点で異なっている。従って、文字種切替キー１３２が起動後最初に押下された場合には、文字種類を切り替える初期切り替え順番は、「アルファベット小文字」→「アルファベット大文字」→「数字」→「漢字」の順番になっている。
また、文字種切替キー１３２を介して文字種類が「漢字」に切り替えられている場合には、数字１入力キー１２１を繰り返し押下することにより「あ行」の文字を順次入力でき、同様に、各文字入力キー１２１〜１３０をそれぞれ押下することにより、「か行」、「さ行」、〜「ら行」、「わ行、ん」を順次入力でき、カーソルキー１６を押下することにより、漢字変換されるように構成されている。
【００６８】
次に、このように構成された第２実施形態に係るテープ印字装置の入力モード切替処理のサブ処理で実行される初期シフト切替処理のサブ処理について図１７に基づいて説明する。
図１７に示すように、Ｓ５１において、ＣＰＵ５１は、文字種切替キー１３２の１回目の押下か否かを判定する判定処理を実行する。そして、文字種切替キー１３２の１回目の押下であると判定した場合には（Ｓ５１：ＹＥＳ）、Ｓ５２において、入力モード記憶領域５７Ｄに記憶する入力モードをＲＡＭ５７に一時記憶後、初期切替順記憶領域５６Ａに記憶される文字種類の「初期切り替え順番」を読み出し、この最初の順番の文字種類を入力モードとして入力モード記憶領域５７Ｄに記憶する。即ち、入力モードとして、「アルファベット小文字」が入力モード記憶領域５７Ｄに記憶される。また、起動時の入力モードの文字種類と同一の入力モードの文字種類であるため、直前入力モード記憶領域５７Ｅには、文字種類は記憶されない。即ち、起動時の状態のままである。
尚、「初期切り替え順番」は、１番目をアルファベット小文字、２番目をアルファベット大文字、３番目を数字、４番目を漢字として初期切替順記憶領域５６Ａに記憶されている。
【００６９】
また、文字種切替キー１３２の１回目の押下でないと判定した場合には（Ｓ５１：ＮＯ）、Ｓ５３において、ＣＰＵ５１は、文字種切替キー１３２の２回目の押下か否かを判定する判定処理を実行する。そして、文字種切替キー１３２の２回目の押下であると判定した場合には（Ｓ５３：ＹＥＳ）、Ｓ５４において、入力モード記憶領域５７Ｄに記憶する入力モードをＲＡＭ５７に一時記憶後、初期切替順記憶領域５６Ａに記憶される文字種類の「初期切り替え順番」を読み出し、２番目の順番の文字種類を入力モードとして入力モード記憶領域５７Ｄに記憶する。即ち、入力モードとして、「アルファベット大文字」が入力モード記憶領域５７Ｄに記憶される。また、ＲＡＭ５７に一時記憶した入力モードを読み出し、直前入力モード記憶領域５７Ｅに直前の入力モードとして記憶する。
【００７０】
また、文字種切替キー１３２の２回目の押下でないと判定した場合には（Ｓ５３：ＮＯ）、Ｓ５５において、ＣＰＵ５１は、文字種切替キー１３２の３回目の押下か否かを判定する判定処理を実行する。そして、文字種切替キー１３２の３回目の押下であると判定した場合には（Ｓ５５：ＹＥＳ）、Ｓ５６において、入力モード記憶領域５７Ｄに記憶する入力モードをＲＡＭ５７に一時記憶後、初期切替順記憶領域５６Ａに記憶される文字種類の「初期切り替え順番」を読み出し、３番目の順番の文字種類を入力モードとして入力モード記憶領域５７Ｄに記憶する。即ち、入力モードとして、「数字」が入力モード記憶領域５７Ｄに記憶される。また、ＲＡＭ５７に一時記憶した入力モードを読み出し、直前入力モード記憶領域５７Ｅに直前の入力モードとして記憶する。
【００７１】
また、文字種切替キー１３２の３回目の押下でないと判定した場合には（Ｓ５５：ＮＯ）、Ｓ５７において、ＣＰＵ５１は、入力モード記憶領域５７Ｄに記憶する入力モードをＲＡＭ５７に一時記憶後、初期切替順記憶領域５６Ａに記憶される文字種類の「初期切り替え順番」を読み出し、４番目の順番の文字種類を入力モードとして入力モード記憶領域５７Ｄに記憶する。即ち、入力モードとして、「漢字」が入力モード記憶領域５７Ｄに記憶される。また、ＲＡＭ５７に一時記憶した入力モードを読み出し、直前入力モード記憶領域５７Ｅに直前の入力モードとして記憶する。また同時に、カウンタ５７Ｃが初期化される。
そしてまた、文字種切替キー１３２が押下された場合には、これを１回目の押下として、再度Ｓ５１以降の処理が繰り返し実行される。
【００７２】
次に、第２実施形態に係るテープ印字装置の入力モード切替処理のサブ処理で実行されるシフト切替処理のサブ処理について図１８に基づいて説明する。
図１８に示すように、Ｓ６１において、ＣＰＵ５１は、文字種切替キー１３２の１回目の押下か否かを判定する判定処理を実行する。そして、文字種切替キー１３２の１回目の押下であると判定した場合には（Ｓ６１：ＹＥＳ）、ＣＰＵ５１は、Ｓ６２において、入力モード記憶領域５７Ｄに記憶する入力モードをＲＡＭ５７に一時記憶後、直前入力モード記憶領域５７Ｅに記憶される文字種類を読み出し、この文字種類を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、直前の入力モードが、再度入力モードとして指定される。
【００７３】
また、文字種切替キー１３２の１回目の押下でないと判定した場合には（Ｓ６１：ＮＯ）、Ｓ６３において、ＣＰＵ５１は、文字種切替キー１３２の２回目の押下か否かを判定する判定処理を実行する。そして、文字種切替キー１３２の２回目の押下であると判定した場合には（Ｓ６３：ＹＥＳ）、Ｓ６４において、入力モード記憶領域５７Ｄに記憶する入力モードをＲＡＭ５７に一時記憶する。そして、初期切替順記憶領域５６Ａに記憶される文字種類の「初期切り替え順番」を読み出し、直前入力モード記憶領域５７Ｅに記憶される文字種類以外の文字種類で第１順位の文字種類を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、入力モードは、初期切替順記憶領域５６Ａに記憶される文字種類の「初期切り替え順番」の直前入力モード記憶領域５７Ｅに記憶される文字種類以外の文字種類で第１順位の文字種類に変更される。
【００７４】
また、文字種切替キー１３２の２回目の押下でないと判定した場合には（Ｓ６３：ＮＯ）、Ｓ６５において、ＣＰＵ５１は、文字種切替キー１３２の３回目の押下か否かを判定する判定処理を実行する。そして、文字種切替キー１３２の３回目の押下であると判定した場合には（Ｓ６５：ＹＥＳ）、Ｓ６６において、入力モード記憶領域５７Ｄに記憶する入力モードをＲＡＭ５７に一時記憶する。そして、初期切替順記憶領域５６Ａに記憶される文字種類の「初期切り替え順番」を読み出し、直前入力モード記憶領域５７Ｅに記憶される文字種類以外の文字種類で第２順位の文字種類を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、入力モードは、初期切替順記憶領域５６Ａに記憶される文字種類の「初期切り替え順番」の直前入力モード記憶領域５７Ｅに記憶される文字種類以外の文字種類で第２順位の文字種類に変更される。
【００７５】
また、文字種切替キー１３２の３回目の押下でないと判定した場合には（Ｓ６５：ＮＯ）、Ｓ６７において、初期切替順記憶領域５６Ａに記憶される文字種類の「初期切り替え順番」を読み出し、直前入力モード記憶領域５７Ｅに記憶される文字種類以外の文字種類で第３順位の文字種類を入力モードとして入力モード記憶領域５７Ｄに記憶する。これにより、入力モードは、初期切替順記憶領域５６Ａに記憶される文字種類の「初期切り替え順番」の直前入力モード記憶領域５７Ｅに記憶される文字種類以外の文字種類で第３順位の文字種類に変更される。また同時に、カウンタ５７Ｃが初期化される。
尚、第２実施形態では、初期切替順記憶領域５６Ａに記憶される文字種類の「初期切り替え順番」の直前入力モード記憶領域５７Ｅに記憶される文字種類以外の文字種類で第３順位の文字種類は、入力モード記憶領域５７Ｄに記憶されていた文字種類と同一のため、直前入力モード記憶領域５７Ｅに記憶される文字種類の変更は行わない。
そしてまた、文字種切替キー１３２が押下された場合には、これを１回目の押下として、再度Ｓ６１以降の処理が繰り返し実行される。
【００７６】
従って、第２実施形態に係るテープ印字装置では、上記第１実施形態に係るテープ印字装置１の作用効果に加えて、文字種切替キー１３２を押下することによって切り替え可能な文字種類が４種類に設定されても、上記第１実施形態と同様に、文字種切替キー１３２を押下する際に、直前入力モード記憶領域５７Ｅに最後に指定された文字種類の直前に指定されていた文字種類が記憶されている場合には、文字種切替キー１３２を押下する毎に、入力する文字種類をこの直前入力モード記憶領域５７Ｅに記憶される文字種類を第１順位として所定の順番で順次切り替えて指定することができる。従って、主として２種類の文字種類の文字を交互に入力する場合には、文字種切替キー１３２を１回押下することによって直前に使用していた文字種類を指定することができるため、文字種切替キー１３２によって切り替え可能な文字種類を予め多く登録しておいても、文字種切替キー１３２の押下回数を確実に削減でき、引いてはテープ印字装置の操作性の向上を図ることができる。
【００７７】
次に、第３実施形態に係るテープ印字装置について図１９及び図２０に基づいて説明する。尚、上記第１実施形態に係るテープ印字装置１と同一符号は、上記第１実施形態に係るテープ印字装置１と同一あるいは相当部分を示すものである。
この第３実施形態に係るテープ印字装置の全体構成及び制御系の構成は、第１実施形態に係るテープ印字装置１とほぼ同じ構成である。また、第３実施形態の制御処理は上記第１実施形態の制御処理とほぼ同じ制御処理である。
ただし、テープ印字装置の入力モード切替処理のサブ処理で実行されるシフト切替処理のサブ処理が後述のように上記第１実施形態と異なっている。
【００７８】
次に、第３実施形態に係るテープ印字装置の入力モード切替処理のサブ処理で実行されるシフト切替処理のサブ処理について図１９に基づいて説明する。
図１９に示すように、Ｓ７１において、ＣＰＵ５１は、文字種切替キー１３２の１回目の押下か否かを判定する判定処理を実行する。そして、文字種切替キー１３２の１回目の押下であると判定した場合には（Ｓ７１：ＹＥＳ）、ＣＰＵ５１は、Ｓ７２において、入力モード記憶領域５７Ｄに記憶する入力モードをＲＡＭ５７に一時記憶後、直前入力モード記憶領域５７Ｅに記憶される文字種類を読み出し、この文字種類を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、直前の入力モードが、再度入力モードとして指定される。
【００７９】
また、文字種切替キー１３２の１回目の押下でないと判定した場合には（Ｓ７１：ＮＯ）、Ｓ７３において、ＣＰＵ５１は、文字種切替キー１３２の２回目の押下か否かを判定する判定処理を実行する。そして、文字種切替キー１３２の２回目の押下であると判定した場合には（Ｓ７３：ＹＥＳ）、Ｓ７４において、入力モード記憶領域５７Ｄに記憶する入力モードをＲＡＭ５７に一時記憶する。そして、初期切替順記憶領域５６Ａに記憶される文字種類の「初期切り替え順番」を読み出し、この「初期切り替え順番」の文字種類で第１順位の「アルファベット小文字」を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、入力モードは、初期切替順記憶領域５６Ａに記憶される文字種類の「初期切り替え順番」で第１順位の「アルファベット小文字」に変更される。
【００８０】
また、文字種切替キー１３２の２回目の押下でないと判定した場合には（Ｓ７３：ＮＯ）、Ｓ７５において、ＣＰＵ５１は、文字種切替キー１３２の３回目の押下か否かを判定する判定処理を実行する。そして、文字種切替キー１３２の３回目の押下であると判定した場合には（Ｓ７５：ＹＥＳ）、Ｓ７６において、入力モード記憶領域５７Ｄに記憶する入力モードをＲＡＭ５７に一時記憶する。そして、初期切替順記憶領域５６Ａに記憶される文字種類の「初期切り替え順番」を読み出し、初期切替順記憶領域５６Ａに記憶される文字種類で第２順位の「アルファベット大文字」を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、入力モードは、初期切替順記憶領域５６Ａに記憶される文字種類の「初期切り替え順番」で第２順位の「アルファベット大文字」に変更される。
【００８１】
また、文字種切替キー１３２の３回目の押下でない、即ち、４回目の押下と判定した場合には（Ｓ７５：ＮＯ）、Ｓ７７において、初期切替順記憶領域５６Ａに記憶される文字種類の「初期切り替え順番」を読み出し、直前入力モード記憶領域５７Ｅに記憶される文字種類以外の文字種類で第３順位の「数字」を入力モードとして入力モード記憶領域５７Ｄに記憶する。これにより、入力モードは、初期切替順記憶領域５６Ａに記憶される文字種類の「初期切り替え順番」で第３順位の「数字」に変更される。また同時に、ＣＰＵ５１は、カウンタ５７Ｃを初期化する。
尚、第３実施形態では、初期切替順記憶領域５６Ａに記憶される文字種類の「初期切り替え順番」で第３順位の「数字」は、入力モード記憶領域５７Ｄに記憶されていた文字種類と同一のため、直前入力モード記憶領域５７Ｅに記憶される文字種類の変更は行わない。
そしてまた、文字種切替キー１３２が押下された場合には、これを１回目の押下として、再度Ｓ７１以降の処理が繰り返し実行される。
【００８２】
ここで、シフト切替処理のサブ処理の実行時の液晶表示装置６の表示画面の一例を図２０に基づいて説明する。尚、入力モード記憶領域５７Ｄに「アルファベット小文字」が記憶され、直前入力モード記憶領域５７Ｅに「数字」が記憶されている場合の一例である。
図２０（Ａ）に示すように、文字種切替キー１３２の１回目の押下では、「数字」が直前の入力モードとして直前入力モード記憶領域５７Ｅに記憶されているため、この「数字」が読み出されて、入力モードとして入力モード記憶領域５７Ｄに記憶されるとともに、表示画面の左端部に示される文字種マークＭ１は、白丸の表示となり、文字種マークＭ２は黒丸の表示となる。一方、入力モード記憶領域５７Ｄに記憶されていた「アルファベット小文字」は、直前の入力モードとして、直前入力モード記憶領域５７Ｅに記憶される。これにより、ユーザーは「数字」が入力モードであることを確認することができる。
【００８３】
また、図２０（Ｂ）に示すように、文字種切替キー１３２の２回目の押下では、初期切替順記憶領域５６Ａに記憶される文字種類の「初期切り替え順番」を読み出し、第１順位の「アルファベット小文字」が入力モードとして入力モード記憶領域５７Ｄに記憶されているため、表示画面の左端部に示される各文字種マークＭ１、Ｍ２は、白丸の表示となる。一方、入力モード記憶領域５７Ｄに記憶されていた「数字」は、直前の入力モードとして、直前入力モード記憶領域５７Ｅに記憶される。これにより、ユーザーは「アルファベット小文字」が入力モードであることを確認することができる。
【００８４】
また、図２０（Ｃ）に示すように、文字種切替キー１３２の３回目の押下では、初期切替順記憶領域５６Ａに記憶される文字種類の「初期切り替え順番」を読み出し、第２順位の「アルファベット大文字」が入力モードとして入力モード記憶領域５７Ｄに記憶されているため、表示画面の左端部に示される文字種マークＭ１は、黒丸の表示となり、文字種マークＭ２は、白丸の表示となる。一方、入力モード記憶領域５７Ｄに記憶されていた「数字」は、直前の入力モードとして、直前入力モード記憶領域５７Ｅに記憶される。これにより、窓枠５の左端外周部に印刷される「ＡＢＣ」の文字より、ユーザーは「アルファベット大文字」が入力モードであることを確認することができる。
【００８５】
また、図２０（Ｄ）に示すように、文字種切替キー１３２の４回目の押下では、初期切替順記憶領域５６Ａに記憶される文字種類の「初期切り替え順番」を読み出し、第３順位の「数字」が入力モードとして入力モード記憶領域５７Ｄに記憶されているため、表示画面の左端部に示される文字種マークＭ１は、白丸の表示となり、文字種マークＭ２は、黒丸の表示となる。よって、入力モード記憶領域５７Ｄには「数字」が記憶され、直前入力モード記憶領域５７Ｅには「アルファベット小文字」が記憶されている。これにより、窓枠５の左端外周部に印刷される「１２３」の文字より、ユーザーは「数字」が入力モードであることを確認することができる。
そしてまた、文字種切替キー１３２が押下された場合には、図２０（Ａ）〜図２０（Ｄ）の画面表示が繰り返し順次表示される。
【００８６】
上記説明した通り、第３実施形態に係るテープ印字装置では、文字種切替キー１３２を押下する際に、直前入力モード記憶領域５７Ｅに最後に指定された文字種類の直前に指定されていた文字種類が記憶されている場合には、文字種切替キー１３２を押下する毎に、入力する文字種類をこの直前入力モード記憶領域５７Ｅに記憶される文字種類を第１順位とし、第２番目以降の文字種類の切り替え順番は、３種類の各文字種類を起動時に記憶されている所定の順番に従って第２番目以降に順次切り替えて指定することができる。
従って、主として２種類の文字種類の文字を交互に入力する場合には、文字種切替キー１３２を１回押下することによって直前に使用していた文字種類を指定することができるため、文字種切替キー１３２によって切り替え可能な文字種類を予め多く登録しておいても、文字種切替キー１３２の押下回数を確実に削減でき、引いてはテープ印字装置の操作性の向上を図ることができる。
また、ＣＰＵ５１は、文字種類を指定するために文字種切替キー１３２が複数回押下された場合には、第２番目以降は、起動時に記憶されている所定の順番に従って文字種類を切り替えればよく、文字種類を切り替える制御プログラム容量の増加を防止し、且つ、テープ印字装置の操作性の向上を図ることができる。また、第２番目以降には、各文字種類を起動時に記憶されている所定の順番に従って順次切り替えることができるため、誤って第１番目の文字種類の指定をミスしても、文字種類の切り替え途中で該第１番目の文字種類を指定することが可能となり、文字種切替キー１３２の押下回数の増加を防止でき、操作性の向上を図ることができる。
【００８７】
次に、第４実施形態に係るテープ印字装置について図２１及び図２２に基づいて説明する。尚、上記第１実施形態に係るテープ印字装置１と同一符号は、上記第１実施形態に係るテープ印字装置１と同一あるいは相当部分を示すものである。
この第４実施形態に係るテープ印字装置の全体構成及び制御系の構成は、第１実施形態に係るテープ印字装置１とほぼ同じ構成である。また、第４実施形態の制御処理は上記第３実施形態の制御処理とほぼ同じ制御処理である。
ただし、テープ印字装置の入力モード切替処理のサブ処理で実行されるシフト切替処理のサブ処理が後述のように上記第３実施形態と異なっている。
【００８８】
次に、第４実施形態に係るテープ印字装置の入力モード切替処理のサブ処理で実行されるシフト切替処理のサブ処理について図２１に基づいて説明する。
図２１に示すように、Ｓ８１〜Ｓ８６において、ＣＰＵ５１は、上記第３実施形態のＳ７１〜Ｓ７６の制御処理と同じ制御処理を実行する。
そして、Ｓ８５において、文字種切替キー１３２の３回目の押下でないと判定した場合には（Ｓ８５：ＮＯ）、Ｓ８７において、ＣＰＵ５１は、文字種切替キー１３２の４回目の押下か否かを判定する判定処理を実行する。そして、文字種切替キー１３２の４回目の押下であると判定した場合には（Ｓ８７：ＹＥＳ）、Ｓ８８において、初期切替順記憶領域５６Ａに記憶される文字種類の「初期切り替え順番」を読み出し、直前入力モード記憶領域５７Ｅに記憶される文字種類以外の文字種類で第３順位の「数字」を入力モードとして入力モード記憶領域５７Ｄに記憶する。これにより、入力モードは、初期切替順記憶領域５６Ａに記憶される文字種類の「初期切り替え順番」の直前入力モード記憶領域５７Ｅに記憶される文字種類で第３順位の「数字」に変更される。尚、第４実施形態では、初期切替順記憶領域５６Ａに記憶される文字種類の「初期切り替え順番」の直前入力モード記憶領域５７Ｅに記憶される文字種類で第３順位の「数字」は、入力モード記憶領域５７Ｄに記憶されていた文字種類と同一のため、直前入力モード記憶領域５７Ｅに記憶される文字種類の変更は行わない。
【００８９】
また、文字種切替キー１３２の４回目の押下でない、即ち、５回目以上の押下と判定した場合には（Ｓ８７：ＮＯ）、ＣＰＵ５１は、カウンタ５７Ｃを２順目にセットして、再度Ｓ８３以降の処理を繰り返し実行する。
【００９０】
ここで、シフト切替処理のサブ処理の実行時の液晶表示装置６の表示画面の一例を図２２に基づいて説明する。尚、入力モード記憶領域５７Ｄに「アルファベット小文字」が記憶され、直前入力モード記憶領域５７Ｅに「数字」が記憶されている場合の一例である。
図２２（Ａ）〜図２２（Ｄ）の液晶表示器６の表示画面は、上記第３実施形態の図２０（Ａ）〜図２０（Ｄ）の液晶表示器６の表示画面の変化と同一である。
ただし、文字種切替キー１３２の５回目以降の押下では、図２２（Ｂ）〜図２２（Ｄ）の表示画面が繰り返し順次表示される。
【００９１】
上記説明した通り、第４実施形態に係るテープ印字装置では、文字種切替キー１３２を押下する際に、直前入力モード記憶領域５７Ｅに最後に指定された文字種類の直前に指定されていた文字種類が記憶されている場合には、文字種切替キー１３２を押下する毎に、入力する文字種類をこの直前入力モード記憶領域５７Ｅに記憶される文字種類を第１順位とし、第２番目以降の文字種類の切り替え順番は、３種類の各文字種類を起動時に記憶されている所定の順番に従って第２番目以降に繰り返し順次切り替えて指定することができる。
従って、主として２種類の文字種類の文字を交互に入力する場合には、文字種切替キー１３２を１回押下することによって直前に使用していた文字種類を指定することができるため、文字種切替キー１３２によって切り替え可能な文字種類を予め多く登録しておいても、文字種切替キー１３２の押下回数を確実に削減でき、引いてはテープ印字装置の操作性の向上を図ることができる。
また、ＣＰＵ５１は、文字種類を指定するために文字種切替キー１３２が複数回押下された場合には、第２番目以降は、起動時に記憶されている所定の順番に従って文字種類を繰り返し順次切り替えられるため、第２番目以降の文字種類の切り替えは、従来と同様の切り替え順番となり、文字種類を切り替える制御プログラム容量の増加を防止するとともに、テープ印字装置の操作性の向上を図ることができる。
【００９２】
次に、第５実施形態に係るテープ印字装置について図２３及び図２４に基づいて説明する。尚、上記第１実施形態に係るテープ印字装置１と同一符号は、上記第１実施形態に係るテープ印字装置１と同一あるいは相当部分を示すものである。
この第５実施形態に係るテープ印字装置の全体構成及び制御系の構成は、第１実施形態に係るテープ印字装置１とほぼ同じ構成である。また、第５実施形態の制御処理は上記第１実施形態の制御処理とほぼ同じ制御処理である。
ただし、テープ印字装置の入力モード切替処理のサブ処理で実行されるシフト切替処理のサブ処理が後述のように上記第１実施形態と異なっている。
【００９３】
次に、第５実施形態に係るテープ印字装置の入力モード切替処理のサブ処理で実行されるシフト切替処理のサブ処理について図２３に基づいて説明する。
図２３に示すように、Ｓ９１において、ＣＰＵ５１は、文字種切替キー１３２の１回目の押下か否かを判定する判定処理を実行する。そして、文字種切替キー１３２の１回目の押下であると判定した場合には（Ｓ９１：ＹＥＳ）、ＣＰＵ５１は、Ｓ９２において、入力モード記憶領域５７Ｄに記憶する入力モードをＲＡＭ５７に一時記憶後、直前入力モード記憶領域５７Ｅに記憶される文字種類を読み出し、この文字種類を入力モードとして入力モード記憶領域５７Ｄに記憶する。そして、ＲＡＭ５７に一時記憶した入力モードの文字種類を読み出し、直前入力モード記憶領域５７Ｅに直前の入力モードとして記憶する。これにより、直前の入力モードが、再度入力モードとして指定される。
例えば、入力モード記憶領域５７Ｄに「数字」が記憶され、直前入力モード記憶領域５７Ｅに「アルファベット小文字」が記憶されている場合には、入力モード記憶領域５７Ｄから「数字」が読み出されて、ＲＡＭ５７に一時記憶される。また、直前入力モード記憶領域５７Ｅに「アルファベット小文字」を読み出し、この「アルファベット小文字」を入力モードとして入力モード記憶領域５７Ｄに記憶する。そして、ＲＡＭ５７から「数字」の入力モードが再度読み出されて、直前の入力モードとして直前入力モード記憶領域５７Ｅに記憶される。これにより、入力モードは、「アルファベット小文字」に変更される。
【００９４】
また、文字種切替キー１３２の１回目の押下でないと判定した場合には（Ｓ９１：ＮＯ）、Ｓ９３において、ＣＰＵ５１は、文字種切替キー１３２の２回目の押下か否かを判定する判定処理を実行する。そして、文字種切替キー１３２の２回目の押下であると判定した場合には（Ｓ９３：ＹＥＳ）、Ｓ９４において、入力モード記憶領域５７Ｄに記憶する入力モードを読み出し、再度、入力モード記憶領域５７Ｄに記憶する。また、直前入力モード記憶領域５７Ｅに記憶する入力モードを読み出し、再度、直前入力モード記憶領域５７Ｅに記憶する。これにより、入力モードは、最後に指定されていた入力モードに変更される。
例えば、例えば、入力モード記憶領域５７Ｄに「数字」が記憶され、直前入力モード記憶領域５７Ｅに「アルファベット小文字」が記憶されている場合には、入力モード記憶領域５７Ｄに「数字」が記憶され、直前入力モード記憶領域５７Ｅに「アルファベット小文字」が記憶された状態が維持される。これにより、入力モードは、「数字」となる。
【００９５】
また、文字種切替キー１３２の２回目の押下でない、即ち３回目の押下と判定した場合には（Ｓ９３：ＮＯ）、Ｓ９５において、入力モード記憶領域５７Ｄに記憶する入力モードをＲＡＭ５７に一時記憶する。そして、初期切替順記憶領域５６Ａに記憶される文字種類の「初期切り替え順番」を読み出し、このＲＡＭ５７に一時記憶した文字種類および直前入力モード記憶領域５７Ｅに記憶される文字種類以外の文字種類で第１順位の文字種類読み出し、この文字種類を入力モードとして入力モード記憶領域５７Ｄに記憶する。そして、ＲＡＭ５７に一時記憶した入力モードの文字種類を読み出し、直前入力モード記憶領域５７Ｅに直前の入力モードとして記憶する。これにより、入力モードは、初期切替順記憶領域５６Ａに記憶される文字種類の「初期切り替え順番」の入力モード記憶領域５７Ｄおよび直前入力モード記憶領域５７Ｅに記憶される文字種類以外の文字種類で第１順位の文字種類に変更される。また同時に、ＣＰＵ５１はカウンタ５７Ｃを初期化する。
例えば、入力モード記憶領域５７Ｄに「数字」が記憶され、直前入力モード記憶領域５７Ｅに「アルファベット小文字」が記憶されている場合には、入力モード記憶領域５７Ｄから「数字」が読み出されて、ＲＡＭ５７に一時記憶される。また、初期切替順記憶領域５６Ａに記憶される文字種類の「初期切り替え順番」から、「数字」と「アルファベット小文字」以外の「アルファベット大文字」が読み出され、この「アルファベット大文字」を入力モードとして入力モード記憶領域５７Ｄに記憶する。そして、ＲＡＭ５７から「数字」の入力モードが再度読み出されて、直前の入力モードとして直前入力モード記憶領域５７Ｅに記憶される。これにより、入力モードは、「アルファベット大文字」に変更される。
【００９６】
そしてまた、文字種切替キー１３２が押下された場合には、これを１回目の押下として、再度Ｓ９１以降の処理が繰り返し実行される。
【００９７】
ここで、シフト切替処理のサブ処理の実行時の液晶表示装置６の表示画面の一例を図２４に基づいて説明する。尚、入力モード記憶領域５７Ｄに「数字」が記憶され、直前入力モード記憶領域５７Ｅに「アルファベット小文字」が記憶されている場合の一例である。
図２４（Ａ）に示すように、文字種切替キー１３２の１回目の押下では、「アルファベット小文字」が直前の入力モードとして直前入力モード記憶領域５７Ｅに記憶されているため、この「アルファベット小文字」が読み出されて、入力モードとして入力モード記憶領域５７Ｄに記憶されるとともに、表示画面の左端部に示される各文字種マークＭ１、Ｍ２はともに白丸の表示となる。一方、入力モード記憶領域５７Ｄに記憶されていた「数字」は、直前の入力モードとして、直前入力モード記憶領域５７Ｅに記憶される。これにより、ユーザーは「アルファベット小文字」が入力モードであることを確認することができる。
【００９８】
また、図２４（Ｂ）に示すように、文字種切替キー１３２の２回目の押下では、入力モード記憶領域５７Ｄに記憶される文字種類の「数字」が、再度、入力モードとして入力モード記憶領域５７Ｄに記憶されているため、表示画面の左端部に示される文字種マークＭ１は、白丸の表示となり、文字種マークＭ２は、黒丸の表示となる。一方、直前入力モード記憶領域５７Ｄに記憶されていた「アルファベット小文字」は、直前の入力モードとして、直前入力モード記憶領域５７Ｅに再度、記憶される。これにより、窓枠５の左端外周部に印刷される「１２３」の文字より、ユーザーは「数字」が入力モードであることを確認することができる。
続いて、図２４（Ｃ）に示すように、文字種切替キー１３２の３回目の押下では、初期切替順記憶領域５６Ａに記憶される文字種類の「初期切り替え順番」を読み出し、入力モード記憶領域５７Ｄおよび直前入力モード記憶領域５７Ｅに記憶される文字種類以外で第１順位の「アルファベット大文字」が入力モードとして入力モード記憶領域５７Ｄに記憶されているため、表示画面の左端部に示される文字種マークＭ１は、黒丸の表示となり、文字種マークＭ２は、白丸の表示となる。一方、入力モード記憶領域５７Ｄに記憶されていた「数字」は、直前の入力モードとして、直前入力モード記憶領域５７Ｅに記憶される。これにより、窓枠５の左端外周部に印刷される「ＡＢＣ」の文字より、ユーザーは「アルファベット大文字」が入力モードであることを確認することができる。
そしてまた、文字種切替キー１３２が押下された場合には、図２４（Ａ）〜図２４（Ｃ）の画面表示が繰り返し順次表示される。
【００９９】
上記説明した通り、第５実施形態に係るテープ印字装置では、文字種切替キー１３２を押下する際に、直前入力モード記憶領域５７Ｅに最後に指定された文字種類の直前に指定されていた文字種類が記憶され、入力モード記憶領域５７Ｄに最後に指定された文字種類が記憶されている場合には、文字種切替キー１３２を押下する毎に、入力する文字種類を直前入力モード記憶領域５７Ｅに記憶されている文字種類を第１順位とし、入力モード記憶領域５７Ｄに記憶されている文字種類を第２順位とし、第３番目の文字種類の切り替え順番は、該入力モード記憶領域５７Ｄ及び直前入力モード記憶領域５７Ｅに記憶される文字種類以外の文字種類を、起動時に記憶されている所定の順番に従って第３番目に切り替えて指定することができる。
従って、主として２種類の文字種類の文字を繰り返し入力する場合には、文字種切替キー１３２を１回または２回押下することによって、使用する文字種類を確実に指定することができるため、文字種切替キー１３２によって切り替え可能な文字種類を予め多く登録しておいても、文字種切替キー１３２の押下回数を確実に削減でき、引いてはテープ印字装置の操作性の向上を図ることができる。
また、ＣＰＵ５１は、入力モード記憶領域５７Ｄ及び直前入力モード記憶領域５７Ｅに記憶される文字種類以外の文字種類を指定するために文字種切替キー１３２が複数回押下された場合には、該入力モード記憶領域５７Ｄ及び直前入力モード記憶領域５７Ｅに記憶される文字種類以外の文字種類に切り替えればよく、文字種類を切り替える制御プログラム容量の増加を防止し、且つ、テープ印字装置の操作性の向上を図ることができる。また、第３番目には、該入力モード記憶領域５７Ｄ及び直前入力モード記憶領域５７Ｅに記憶される文字種類以外の文字種類に順次切り替えることができ、同一文字種類の重複指定を防止することができる。
【０１００】
次に、第６実施形態に係るテープ印字装置について図２５及び図２６に基づいて説明する。尚、上記第１実施形態に係るテープ印字装置１と同一符号は、上記第１実施形態に係るテープ印字装置１と同一あるいは相当部分を示すものである。
この第６実施形態に係るテープ印字装置の全体構成及び制御系の構成は、第１実施形態に係るテープ印字装置１とほぼ同じ構成である。また、第６実施形態の制御処理は上記第１実施形態の制御処理とほぼ同じ制御処理である。
ただし、テープ印字装置の入力モード切替処理のサブ処理で実行されるシフト切替処理のサブ処理が後述のように上記第１実施形態と異なっている。
【０１０１】
次に、第６実施形態に係るテープ印字装置の入力モード切替処理のサブ処理で実行されるシフト切替処理のサブ処理について図２５に基づいて説明する。
図２５に示すように、Ｓ１０１において、ＣＰＵ５１は、文字種切替キー１３２の１回目の押下か否かを判定する判定処理を実行する。そして、文字種切替キー１３２の１回目の押下であると判定した場合には（Ｓ１０１：ＹＥＳ）、ＣＰＵ５１は、Ｓ１０２において、入力モード記憶領域５７Ｄに記憶する入力モードをＲＡＭ５７に一時記憶後、直前入力モード記憶領域５７Ｅに記憶される文字種類を読み出し、この文字種類を入力モードとして入力モード記憶領域５７Ｄに記憶する。そして、ＲＡＭ５７に一時記憶した入力モードの文字種類を読み出し、直前入力モード記憶領域５７Ｅに直前の入力モードとして記憶する。これにより、直前の入力モードが、再度入力モードとして指定される。
例えば、入力モード記憶領域５７Ｄに「数字」が記憶され、直前入力モード記憶領域５７Ｅに「アルファベット小文字」が記憶されている場合には、入力モード記憶領域５７Ｄから「数字」が読み出されて、ＲＡＭ５７に一時記憶される。また、直前入力モード記憶領域５７Ｅに「アルファベット小文字」を読み出し、この「アルファベット小文字」を入力モードとして入力モード記憶領域５７Ｄに記憶する。そして、ＲＡＭ５７から「数字」の入力モードが再度読み出されて、直前の入力モードとして直前入力モード記憶領域５７Ｅに記憶される。これにより、入力モードは、「アルファベット小文字」に変更される。
【０１０２】
また、文字種切替キー１３２の１回目の押下でないと判定した場合には（Ｓ１０１：ＮＯ）、Ｓ１０３において、ＣＰＵ５１は、文字種切替キー１３２の２回目の押下か否かを判定する判定処理を実行する。そして、文字種切替キー１３２の２回目の押下であると判定した場合には（Ｓ１０３：ＹＥＳ）、Ｓ１０４において、入力モード記憶領域５７Ｄに記憶する入力モードを読み出し、再度、入力モード記憶領域５７Ｄに記憶する。また、直前入力モード記憶領域５７Ｅに記憶する入力モードを読み出し、再度、直前入力モード記憶領域５７Ｅに記憶する。これにより、入力モードは、最後に指定されていた入力モードに変更される。
例えば、例えば、入力モード記憶領域５７Ｄに「数字」が記憶され、直前入力モード記憶領域５７Ｅに「アルファベット小文字」が記憶されている場合には、入力モード記憶領域５７Ｄに「数字」が記憶され、直前入力モード記憶領域５７Ｅに「アルファベット小文字」が記憶された状態が維持される。これにより、入力モードは、「数字」となる。
【０１０３】
また、文字種切替キー１３２の２回目の押下でないと判定した場合には（Ｓ１０３：ＮＯ）、Ｓ１０５において、ＣＰＵ５１は、文字種切替キー１３２の３回目の押下か否かを判定する判定処理を実行する。そして、文字種切替キー１３２の３回目の押下であると判定した場合には（Ｓ１０５：ＹＥＳ）、Ｓ１０６において、入力モード記憶領域５７Ｄに記憶する入力モードをＲＡＭ５７に一時記憶する。そして、初期切替順記憶領域５６Ａに記憶される文字種類の「初期切り替え順番」を読み出し、この「初期切り替え順番」の文字種類で第１順位の「アルファベット小文字」を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、入力モードは、初期切替順記憶領域５６Ａに記憶される文字種類の「初期切り替え順番」の第１順位の「アルファベット小文字」に変更される。
【０１０４】
また、文字種切替キー１３２の３回目の押下でないと判定した場合には（Ｓ１０５：ＮＯ）、Ｓ１０７において、ＣＰＵ５１は、文字種切替キー１３２の４回目の押下か否かを判定する判定処理を実行する。そして、文字種切替キー１３２の４回目の押下であると判定した場合には（Ｓ１０７：ＹＥＳ）、Ｓ１０８において、入力モード記憶領域５７Ｄに記憶する入力モードをＲＡＭ５７に一時記憶する。そして、初期切替順記憶領域５６Ａに記憶される文字種類の「初期切り替え順番」を読み出し、初期切替順記憶領域５６Ａに記憶される文字種類で第２順位の「アルファベット大文字」を入力モードとして入力モード記憶領域５７Ｄに記憶する。そして、ＲＡＭ５７に一時記憶した入力モードを読み出し、直前入力モード記憶領域５７Ｅに直前の入力モードとして記憶する。これにより、入力モードは、初期切替順記憶領域５６Ａに記憶される文字種類の「初期切り替え順番」で第２順位の「アルファベット大文字」に変更される。
【０１０５】
また、文字種切替キー１３２の４回目の押下でないと判定した場合には（Ｓ１０７：ＮＯ）、Ｓ１０９において、ＣＰＵ５１は、入力モード記憶領域５７Ｄに記憶する入力モードをＲＡＭ５７に一時記憶する。そして、初期切替順記憶領域５６Ａに記憶される文字種類の「初期切り替え順番」を読み出し、初期切替順記憶領域５６Ａに記憶される文字種類で第３順位の「数字」を入力モードとして入力モード記憶領域５７Ｄに記憶する。これにより、入力モードは、初期切替順記憶領域５６Ａに記憶される文字種類の「初期切り替え順番」で第３順位の「数字」に変更される。尚、第６実施形態では、初期切替順記憶領域５６Ａに記憶される文字種類の「初期切り替え順番」で第３順位の「数字」は、入力モード記憶領域５７Ｄに記憶されていた文字種類と同一のため、直前入力モード記憶領域５７Ｅに記憶される文字種類の変更は行わない。また同時に、ＣＰＵ５１はカウンタ５７Ｃを初期化する。
そしてまた、文字種切替キー１３２が押下された場合には、カウンタ５７Ｃが初期化され、これを１回目の押下として、再度Ｓ１０１以降の処理が繰り返し実行される。
【０１０６】
ここで、シフト切替処理のサブ処理の実行時の液晶表示装置６の表示画面の一例を図２６に基づいて説明する。尚、入力モード記憶領域５７Ｄに「数字」が記憶され、直前入力モード記憶領域５７Ｅに「アルファベット小文字」が記憶されている場合の一例である。
図２６（Ａ）に示すように、文字種切替キー１３２の１回目の押下では、「アルファベット小文字」が直前の入力モードとして直前入力モード記憶領域５７Ｅに記憶されているため、この「アルファベット小文字」が読み出されて、入力モードとして入力モード記憶領域５７Ｄに記憶されるとともに、表示画面の左端部に示される各文字種マークＭ１、Ｍ２はともに白丸の表示となる。一方、入力モード記憶領域５７Ｄに記憶されていた「数字」は、直前の入力モードとして、直前入力モード記憶領域５７Ｅに記憶される。これにより、ユーザーは「アルファベット小文字」が入力モードであることを確認することができる。
【０１０７】
また、図２６（Ｂ）に示すように、文字種切替キー１３２の２回目の押下では、入力モード記憶領域５７Ｄに記憶される文字種類の「数字」が、再度、入力モードとして入力モード記憶領域５７Ｄに記憶されているため、表示画面の左端部に示される文字種マークＭ１は、白丸の表示となり、文字種マークＭ２は、黒丸の表示となる。一方、直前入力モード記憶領域５７Ｄに記憶されていた「アルファベット小文字」は、直前の入力モードとして、直前入力モード記憶領域５７Ｅに再度、記憶される。これにより、窓枠５の左端外周部に印刷される「１２３」の文字より、ユーザーは「数字」が入力モードであることを確認することができる。
続いて、図２６（Ｃ）に示すように、文字種切替キー１３２の３回目の押下では、初期切替順記憶領域５６Ａに記憶される文字種類の「初期切り替え順番」を読み出し、この「初期切り替え順番」で第１順位の「アルファベット小文字」が入力モードとして入力モード記憶領域５７Ｄに記憶されているため、表示画面の左端部に示される各文字種マークＭ１、Ｍ２は、白丸の表示となる。一方、入力モード記憶領域５７Ｄに記憶されていた「数字」は、直前の入力モードとして、直前入力モード記憶領域５７Ｅに記憶される。これにより、ユーザーは「アルファベット小文字」が入力モードであることを確認することができる。
【０１０８】
また、図２６（Ｄ）に示すように、文字種切替キー１３２の４回目の押下では、初期切替順記憶領域５６Ａに記憶される文字種類の「初期切り替え順番」を読み出し、この「初期切り替え順番」で第２順位の「アルファベット大文字」が入力モードとして入力モード記憶領域５７Ｄに記憶されているため、表示画面の左端部に示される文字種マークＭ１は、黒丸の表示となり、文字種マークＭ２は、白丸の表示となる。一方、入力モード記憶領域５７Ｄに記憶されていた「数字」は、直前の入力モードとして、直前入力モード記憶領域５７Ｅに記憶される。これにより、窓枠５の左端外周部に印刷される「ＡＢＣ」の文字より、ユーザーは「アルファベット大文字」が入力モードであることを確認することができる。
【０１０９】
そして、図２６（Ｅ）に示すように、文字種切替キー１３２の５回目の押下では、初期切替順記憶領域５６Ａに記憶される文字種類の「初期切り替え順番」を読み出し、この「初期切り替え順番」で第３順位の「数字」が入力モードとして入力モード記憶領域５７Ｄに記憶されているため、表示画面の左端部に示される文字種マークＭ１は、白丸の表示となり、文字種マークＭ２は、黒丸の表示となる。一方、直前入力モード記憶領域５７Ｄに記憶されていた「アルファベット小文字」は、直前の入力モードとして、直前入力モード記憶領域５７Ｅに再度、記憶される。これにより、窓枠５の左端外周部に印刷される「１２３」の文字より、ユーザーは「数字」が入力モードであることを確認することができる。
そしてまた、文字種切替キー１３２が押下された場合には、図２６（Ａ）〜図２６（Ｅ）の画面表示が繰り返し順次表示される。
【０１１０】
上記説明した通り、第６実施形態に係るテープ印字装置では、文字種切替キー１３２を押下する際に、直前入力モード記憶領域５７Ｅに最後に指定された文字種類の直前に指定されていた文字種類が記憶され、入力モード記憶領域５７Ｄに最後に指定された文字種類が記憶されている場合には、文字種切替キー１３２を押下する毎に、入力する文字種類を直前入力モード記憶領域５７Ｅに記憶されている文字種類を第１順位とし、入力モード記憶領域５７Ｄに記憶されている文字種類を第２順位とし、第３番目以降の文字種類の切り替え順番は、初期切替順記憶領域５６Ａに記憶される「初期切り替え順」に従って第３番目以降に順次切り替えて指定することができる。
従って、主として２種類の文字種類の文字を交互に入力する場合には、文字種切替キー１３２を１回押下することによって直前に使用していた文字種類を指定することができるため、文字種切替キー１３２によって切り替え可能な文字種類を予め多く登録しておいても、文字種切替キー１３２の押下回数を確実に削減でき、引いてはテープ印字装置の操作性の向上を図ることができる。
また、ＣＰＵ５１は、入力モード記憶領域５７Ｄ及び直前入力モード記憶領域５７Ｅに記憶される文字種類以外の文字種類を指定するために文字種切替キー１３２が複数回押下された場合には、初期切替順記憶領域５６Ａに記憶される「初期切り替え順」に従って第３番目以降に順次切り替えればよく、文字種類を切り替える制御プログラム容量の増加を防止し、且つ、文字入力装置の操作性の向上を図ることができる。また、第３番目以降には、各文字種類を所定の順番に従って順次切り替えることができるため、誤って第１番目の文字種類の指定や第２番目の文字種類の指定をミスしても、文字種類の切り替え途中で再度指定することが可能となり、文字種切替キー１３２の押下回数の増加を防止でき、操作性の向上を図ることができる。
【０１１１】
次に、第７実施形態に係るテープ印字装置について図２７及び図２８に基づいて説明する。尚、上記第１実施形態に係るテープ印字装置１と同一符号は、上記第１実施形態に係るテープ印字装置１と同一あるいは相当部分を示すものである。
この第７実施形態に係るテープ印字装置の全体構成及び制御系の構成は、第１実施形態に係るテープ印字装置１とほぼ同じ構成である。また、第７実施形態の制御処理は上記第６実施形態の制御処理とほぼ同じ制御処理である。
ただし、テープ印字装置の入力モード切替処理のサブ処理で実行されるシフト切替処理のサブ処理が後述のように上記第６実施形態と異なっている。
【０１１２】
次に、第７実施形態に係るテープ印字装置の入力モード切替処理のサブ処理で実行されるシフト切替処理のサブ処理について図２７に基づいて説明する。
図２７に示すように、Ｓ１１１〜Ｓ１１８において、ＣＰＵ５１は、上記第６実施形態のＳ１０１〜Ｓ１０８の制御処理と同じ制御処理を実行する。
そして、Ｓ１１７において、文字種切替キー１３２の４回目の押下でないと判定した場合には（Ｓ１０７：ＮＯ）、Ｓ１１９において、ＣＰＵ５１は、文字種切替キー１３２の５回目の押下か否かを判定する判定処理を実行する。そして、文字種切替キー１３２の５回目の押下であると判定した場合には（Ｓ１１９：ＹＥＳ）、Ｓ１２０において、入力モード記憶領域５７Ｄに記憶する入力モードをＲＡＭ５７に一時記憶する。そして、初期切替順記憶領域５６Ａに記憶される文字種類の「初期切り替え順番」を読み出し、初期切替順記憶領域５６Ａに記憶される文字種類で第３順位の「数字」を入力モードとして入力モード記憶領域５７Ｄに記憶する。これにより、入力モードは、初期切替順記憶領域５６Ａに記憶される文字種類の「初期切り替え順番」で第３順位の「数字」に変更される。尚、第７実施形態では、初期切替順記憶領域５６Ａに記憶される文字種類の「初期切り替え順番」で第３順位の「数字」は、入力モード記憶領域５７Ｄに記憶されていた文字種類と同一のため、直前入力モード記憶領域５７Ｅに記憶される文字種類の変更は行わない。
【０１１３】
一方、文字種切替キー１３２の５回目の押下でない、即ち、６回目以上の押下と判定した場合には（Ｓ１１９：ＮＯ）、ＣＰＵ５１は、カウンタ５７Ｃを３順目とし、再度、Ｓ１１５以降の処理を繰り返し実行する。
【０１１４】
ここで、シフト切替処理のサブ処理の実行時の液晶表示装置６の表示画面の一例を図２８に基づいて説明する。尚、入力モード記憶領域５７Ｄに「数字」が記憶され、直前入力モード記憶領域５７Ｅに「アルファベット小文字」が記憶されている場合の一例である。
図２８（Ａ）〜図２８（Ｅ）の液晶表示器６の表示画面は、上記第６実施形態の図２６（Ａ）〜図２６（Ｅ）の液晶表示器６の表示画面の変化と同一である。ただし、文字種切替キー１３２の６回目以降の押下では、図２８（Ｃ）〜図２８（Ｅ）の表示画面が繰り返し順次表示される。
【０１１５】
上記説明した通り、第７実施形態に係るテープ印字装置では、文字種切替キー１３２を押下する際に、直前入力モード記憶領域５７Ｅに最後に指定された文字種類の直前に指定されていた文字種類が記憶され、入力モード記憶領域５７Ｄに最後に指定された文字種類が記憶されている場合には、文字種切替キー１３２を押下する毎に、入力する文字種類を直前入力モード記憶領域５７Ｅに記憶されている文字種類を第１順位とし、入力モード記憶領域５７Ｄに記憶されている文字種類を第２順位とし、第３番目以降の文字種類の切り替え順番は、初期切替順記憶領域５６Ａに記憶される「初期切り替え順」に従って第３番目以降に繰り返し順次切り替えて指定することができる。
従って、主として２種類の文字種類の文字を交互に入力する場合には、文字種切替キー１３２を１回押下することによって直前に使用していた文字種類を指定することができるため、文字種切替キー１３２によって切り替え可能な文字種類を予め多く登録しておいても、文字種切替キー１３２の押下回数を確実に削減でき、引いてはテープ印字装置の操作性の向上を図ることができる。
また、ＣＰＵ５１は、文字種類を指定するために文字種切替キー１３２が複数回押下された場合には、第３番目以降は、起動時に記憶されている所定の順番に従って文字種類を繰り返し順次切り替えられるため、第３番目以降の文字種類の切り替えは、従来と同様の切り替え順番となり、文字種類を切り替える制御プログラム容量の増加を防止するとともに、テープ印字装置の操作性の向上を図ることができる。また、第３番目以降には、各文字種類を所定の順番に従って繰り返し順次切り替えることができるため、誤って第１番目の文字種類の指定や第２番目の文字種類の指定をミスしても、文字種類の切り替え途中で再度指定することが可能となり、文字種切替キー１３２の押下回数の増加を防止でき、操作性の向上を図ることができる。
【０１１６】
尚、本発明は前記第１実施形態乃至第７実施形態に限定されることはなく、本発明の要旨を逸脱しない範囲内で種々の改良、変形が可能であることは勿論である。
【０１１７】
【発明の効果】
以上説明した通り、本発明に係る文字入力装置によれば、文字種切替キーを押下する際に、第１文字種記憶手段に最後に指定された文字種類の直前に指定されていた文字種類である第１文字種が記憶されている場合には、文字種切替キーを押下する毎に、入力する文字種類をこの第１文字種を第１順位として所定の順番で順次切り替えて指定することができる。従って、主として２種類の文字種類の文字を交互に入力する場合には、文字種切替キーを１回押下することによって直前に使用していた文字種類を指定することができるため、文字種切替キーによって切り替え可能な文字種類を予め多く登録しておいても、文字種切替キーの押下回数を確実に削減でき、引いては文字入力装置の操作性の向上を図ることができる。
【０１１８】
また、本発明に係るテープ印字装置によれば、主として２〜３種類の文字種類の文字を入力してテープに印字する場合には、文字種切替キーを１回〜２回押下することによって使用する文字種類を指定することができるため、文字種切替キーによって切り替え可能な文字種類を予め多く登録しておいても、文字種切替キーの押下回数を確実に削減でき、引いてはテープ印字装置の操作性の向上を図ることができる。
【図面の簡単な説明】
【図１】第１実施形態に係るテープ印字装置の概略外観斜視図である。
【図２】第１実施形態に係るテープ印字装置の概略平面図である。
【図３】第１実施形態に係るテープ印字装置の概略断面図である。
【図４】第１実施形態に係るテープ印字装置に装着される背面カバーを外してテープカセットを装着した状態を示す概略底面図である。
【図５】第１実施形態に係るテープ印字装置の制御構成を示すブロック図である。
【図６】第１実施形態に係るテープ印字装置の文字入力の制御処理を示すメインフローチャートである。
【図７】第１実施形態に係るテープ印字装置の文字入力の制御処理時に実行される入力モード記憶処理を示すサブフローチャートである。
【図８】第１実施形態に係るテープ印字装置の文字入力の制御処理時に実行される入力モード切替処理を示すサブフローチャートである。
【図９】第１実施形態に係るテープ印字装置の文字入力の制御処理時に実行される初期シフト切替処理を示すサブフローチャートである。
【図１０】第１実施形態に係るテープ印字装置の文字入力の制御処理時に実行されるシフト切替処理を示すサブフローチャートである。
【図１１】第１実施形態に係るテープ印字装置の文字入力の制御処理における初期状態にアルファベット小文字を入力したした一例の表示画面を示す図で、（Ａ）はａを入力した状態を示す図、（Ｂ）はｂを入力した状態を示す図、（Ｃ）はｃを入力した状態を示す図である。
【図１２】第１実施形態に係るテープ印字装置の文字入力の制御処理実行時の初期シフト切替処理における文字種切替キーを押下した時の表示画面の変化の一例を示す図である。
【図１３】第１実施形態に係るテープ印字装置の文字入力の制御処理実行時の初期シフト切替処理において数字を指定した一例の表示画面を示す図で、（Ａ）は１を入力した状態を示す図、（Ｂ）は２を入力した状態を示す図、（Ｃ）は３を入力した状態を示す図である。
【図１４】第１実施形態に係るテープ印字装置の文字入力の制御処理実行時のシフト切替処理において数字を指定後、再度、文字種切替キーを押下した時の表示画面の変化の一例を示す図である。
【図１５】第１実施形態に係るテープ印字装置の文字入力の制御処理におけるシフト切替処理においてアルファベット小文字を指定した一例の表示画面を示す図で、（Ａ）はｄを入力した状態を示す図、（Ｂ）はｅを入力した状態を示す図、（Ｃ）はｆを入力した状態を示す図である。
【図１６】第１実施形態に係るテープ印字装置の文字入力の制御処理実行時のシフト切替処理においてアルファベット小文字を指定後、再度、文字種切替キーを押下した時の表示画面の変化の一例を示す図である。
【図１７】第２実施形態に係るテープ印字装置の文字入力の制御処理時に実行される初期シフト切替処理を示すサブフローチャートである。
【図１８】第２実施形態に係るテープ印字装置の文字入力の制御処理時に実行されるシフト切替処理を示すサブフローチャートである。
【図１９】第３実施形態に係るテープ印字装置の文字入力の制御処理時に実行されるシフト切替処理を示すサブフローチャートである。
【図２０】第３実施形態に係るテープ印字装置の文字入力の制御処理実行時のシフト切替処理において数字を指定後、再度、文字種切替キーを押下した時の表示画面の変化の一例を示す図である。
【図２１】第４実施形態に係るテープ印字装置の文字入力の制御処理時に実行されるシフト切替処理を示すサブフローチャートである。
【図２２】第４実施形態に係るテープ印字装置の文字入力の制御処理実行時のシフト切替処理において数字を指定後、再度、文字種切替キーを押下した時の表示画面の変化の一例を示す図である。
【図２３】第５実施形態に係るテープ印字装置の文字入力の制御処理時に実行されるシフト切替処理を示すサブフローチャートである。
【図２４】第５実施形態に係るテープ印字装置の文字入力の制御処理実行時のシフト切替処理において数字を指定後、再度、文字種切替キーを押下した時の表示画面の変化の一例を示す図である。
【図２５】第６実施形態に係るテープ印字装置の文字入力の制御処理時に実行されるシフト切替処理を示すサブフローチャートである。
【図２６】第６実施形態に係るテープ印字装置の文字入力の制御処理実行時のシフト切替処理において数字を指定後、再度、文字種切替キーを押下した時の表示画面の変化の一例を示す図である。
【図２７】第７実施形態に係るテープ印字装置の文字入力の制御処理時に実行されるシフト切替処理を示すサブフローチャートである。
【図２８】第７実施形態に係るテープ印字装置の文字入力の制御処理実行時のシフト切替処理において数字を指定後、再度、文字種切替キーを押下した時の表示画面の変化の一例を示す図である。
【符号の説明】
１                テープ印字装置
２                本体
６                液晶表示装置
９                感熱テープ
２６              テープカセット
３３              サーマルヘッド
５１              ＣＰＵ
５６              ＲＯＭ
５６Ａ            初期切替順記憶領域
５７              ＲＡＭ
５７Ｄ            入力モード記憶領域
５７Ｅ            直前入力モード記憶領域
１２１            数字１入力キー
１２２〜１３０    文字入力キー
１３１            記号入力キー
１３２            文字種切替キー
Ｍ１、Ｍ２        文字種マーク
Ｋ１              カーソル
【図１】
2004299181.tif 000003
【図２】
2004299181.tif 000004
【図３】
2004299181.tif 000005
【図４】
2004299181.tif 000006
【図５】
2004299181.tif 000007
【図６】
2004299181.tif 000008
【図７】
2004299181.tif 000009
【図８】
2004299181.tif 000010
【図９】
2004299181.tif 000011
【図１０】
2004299181.tif 000012
【図１１】
2004299181.tif 000013
【図１２】
2004299181.tif 000014
【図１３】
2004299181.tif 000015
【図１４】
2004299181.tif 000016
【図１５】
2004299181.tif 000017
【図１６】
2004299181.tif 000018
【図１７】
2004299181.tif 000019
【図１８】
2004299181.tif 000020
【図１９】
2004299181.tif 000021
【図２０】
2004299181.tif 000022
【図２１】
2004299181.tif 000023
【図２２】
2004299181.tif 000024
【図２３】
2004299181.tif 000025
【図２４】
2004299181.tif 000026
【図２５】
2004299181.tif 000027
【図２６】
2004299181.tif 000028
【図２７】
2004299181.tif 000029
【図２８】
2004299181.tif 000030